(57)【要約】      （修正有）【課題】外から見えない音響発生装置を備える表示装置を提供する。【解決手段】表示装置１０は、第１面にイメージを表示する表示パネル３００と、第１音響を提供する第１音響発生装置５００と、第２音響を提供する第２音響発生装置９３０と、第３音響発生装置９４０と、を備える。第１音響発生装置５００は、表示パネル３００の第１面の反対面である第２面側のパネル下部部材４００に付着され、第１音響を発生するための第１音響信号に応じて振動を発生する。【選択図】図２
2020039127.tif 000002
【特許請求の範囲】
【請求項１】
第１面にイメージを表示する表示パネルと、
第１音響を提供する第１音響発生装置と、
第２音響を提供する第２音響発生装置と、を備え、
前記第１音響発生装置は、前記表示パネルの第１面の反対面である第２面に付着され、前記第１音響を発生するための第１音響信号に応じて振動を発生する振動発生装置であることを特徴とする表示装置。
【請求項２】
前記第１音響は、前記第２音響よりも高周波数帯域において音圧レベルが高く、前記第２音響は、前記第１音響よりも低周波数帯域において音圧レベルが高いことを特徴とする請求項１に記載の表示装置。
【請求項３】
前記第２音響発生装置は、第２音響信号に応じて前記第２音響を出力するスピーカー装置であることを特徴とする請求項１に記載の表示装置。
【請求項４】
第３音響信号に応じて第３音響を出力するスピーカー装置である第３音響発生装置をさらに備えることを特徴とする請求項３に記載の表示装置。
【請求項５】
前記第１音響は、前記第３音響よりも高周波数帯域において音圧レベルが高く、前記第３音響は、前記第１音響よりも低周波数帯域において音圧レベルが高いことを特徴とする請求項４に記載の表示装置。
【請求項６】
前記第２及び第３音響発生装置は、前記第２面上に配置される回路ボード上に配置されることを特徴とする請求項４に記載の表示装置。
【請求項７】
前記第２音響発生装置は、前記回路ボードの一側に配置され、前記第３音響発生装置は、前記回路ボードの他側に配置されることを特徴とする請求項６に記載の表示装置。
【請求項８】
通話モードにおいて、前記第１音響発生装置が前記第１音響を出力し、
ステレオ音響モードにおいて、前記第１乃至第３音響発生装置のうちの少なくとも二つが音響を出力し、
モノ音響モードにおいて、前記第１乃至第３音響発生装置のうちのいずれか一つが音響を出力することを特徴とする請求項４に記載の表示装置。
【請求項９】
前記第２音響発生装置は、前記表示パネルの前記第２面に付着され、前記第２音響を発生するための第２音響信号に応じて振動を発生する振動発生装置であることを特徴とする請求項１に記載の表示装置。
【請求項１０】
第３音響信号に応じて第３音響を出力する第３音響発生装置をさらに備えることを特徴とする請求項９に記載の表示装置。
【請求項１１】
前記第１音響は、前記第３音響よりも高周波数帯域において音圧レベルが高く、前記第３音響は、前記第１音響よりも低周波数帯域において音圧レベルが高く、
前記第２音響は、前記第３音響よりも高周波数帯域において音圧レベルが高く、前記第３音響は、前記第２音響よりも低周波数帯域において音圧レベルが高いことを特徴とする請求項１０に記載の表示装置。
【請求項１２】
前記第３音響発生装置は、前記表示パネルの前記第２面上に配置される回路ボード上に配置されることを特徴とする請求項１０に記載の表示装置。
【請求項１３】
前記第３音響信号は、ユーザに多様な触覚を提供するための触覚信号を含むことを特徴とする請求項１０に記載の表示装置。
【請求項１４】
通話モードにおいて、前記第１及び第２音響発生装置のうちのいずれか一つが音響を出力し、
ステレオ音響モードにおいて、前記第１及び第２音響発生装置または前記第１乃至第３音響発生装置を用いて音響を出力し、
モノ音響モードにおいて、前記第１及び第２音響発生装置のうちのいずれか一つが音響を出力することを特徴とする請求項１０に記載の表示装置。
【請求項１５】
前記第１音響発生装置は、前記表示パネルの第２面の一側に配置され、前記第２音響発生装置は、前記表示パネルの第２面の一側の反対側に配置されることを特徴とする請求項９に記載の表示装置。
【請求項１６】
通話モードにおいて、
前記第１音響発生装置が前記第２音響発生装置よりも高い側に位置する場合、前記第１音響発生装置が前記第１音響を出力し、
前記第２音響発生装置が前記第１音響発生装置よりも高い側に位置する場合、前記第２音響発生装置が前記第２音響を出力することを特徴とする請求項１５に記載の表示装置。
【請求項１７】
前記第３音響発生装置は、スピーカー装置であることを特徴とする請求項１０に記載の表示装置。
【請求項１８】
通話モードにおいて、前記第１及び第２音響発生装置のうちのいずれか一つが音響を出力し、
ステレオ音響モードにおいて、前記第１乃至第３音響発生装置のうちの少なくとも二つが音響を出力し、
モノ音響モードにおいて、前記第１乃至第３音響発生装置のうちの少なくとも一つが音響を出力することを特徴とする請求項１０に記載の表示装置。
【請求項１９】
第３音響信号に応じて第３音響を出力するスピーカー装置である第３音響発生装置と、
第４音響信号に応じて第４音響を出力する振動発生装置である第４音響発生装置と、をさらに備えることを特徴とする請求項９に記載の表示装置。
【請求項２０】
前記第３及び第４音響発生装置は、前記表示パネルの前記第２面上に配置される回路ボード上に配置されることを特徴とする請求項１９に記載の表示装置。
【請求項２１】
前記第４音響信号は、ユーザに多様な触覚を提供するための触覚信号を含むことを特徴とする請求項１９に記載の表示装置。
【請求項２２】
前記第４音響は、前記第１乃至第３音響よりも低周波数帯域において音圧レベルが高く、前記第３音響は、前記低周波数帯域よりも高い中周波数帯域において、前記第１、第２、及び第４音響よりも音圧レベルが高く、前記第１音響または前記第２音響は、前記中周波数帯域よりも高い高周波数帯域において、前記第３音響及び第４音響よりも音圧レベルが高いことを特徴とする請求項１９に記載の表示装置。
【請求項２３】
前記第４音響は、前記第１乃至第３音響よりも低周波数帯域において音圧レベルが高く、前記第３音響は、前記低周波数帯域よりも高い中周波数帯域において、前記第１、第２、及び第４音響よりも音圧レベルが高く、前記第２音響は、前記中周波数帯域よりも高い第２高周波数帯域において、前記第１、第３、及び第４音響よりも音圧レベルが高く、前記第１音響は、前記第２高周波数帯域よりも高い第１高周波数帯域において、前記第２乃至第４音響よりも音圧レベルが高いことを特徴とする請求項１９に記載の表示装置。
【請求項２４】
通話モードにおいて、前記第１及び第２音響発生装置のうちのいずれか一つが音響を出力し、
ステレオ音響モードにおいて、前記第１乃至第３音響発生装置のうちの少なくとも二つまたは前記第１乃至第３音響発生装置のうちの少なくとも二つと前記第４音響発生装置とが音響を出力し、
モノ音響モードにおいて、前記第１乃至第３音響発生装置のうちのいずれか一つが音響を出力することを特徴とする請求項１９に記載の表示装置。
【発明の詳細な説明】
【技術分野】
【０００１】
本発明は、表示装置に関し、より詳しくは外から見えない音響発生装置を備える表示装置に関する。
【背景技術】
【０００２】
情報化社会の発展につれて映像を表示するための表示装置に対する要求が多様な形態で高まりつつある。例えば、表示装置は、スマートフォン、デジタルカメラ、ノートパソコン、ナビゲーション、及びスマートテレビのような多様な電子機器に適用されている。表示装置は、映像を表示するための表示パネルと音響を提供するための音響発生装置とを備える。
【０００３】
表示装置が多様な電子機器に適用されるのにつれて、多様なデザインを有する表示装置が求められている。例えば、スマートフォンの場合、通話モードで相手の音声を出力するために、表示装置の前面に配置される音響発生装置を除去することで、表示領域を広げられる表示装置が求められている。
【先行技術文献】
【特許文献】
【０００４】
【特許文献１】特開２００５−２０４１０２号公報
【発明の概要】
【発明が解決しようとする課題】
【０００５】
本発明は、上記従来技術に鑑みてなされたものであって、本発明の目的は、外から見えない音響発生装置を備える表示装置を提供することにある。
【課題を解決するための手段】
【０００６】
上記目的を達成するためになされた本発明の一態様による表示装置は、第１面にイメージを表示する表示パネルと、第１音響を提供する第１音響発生装置と、第２音響を提供する第２音響発生装置と、を備え、前記第１音響発生装置は、前記表示パネルの第１面の反対面である第２面に付着され、前記第１音響を発生するための第１音響信号に応じて振動を発生する振動発生装置であることを特徴とする。
【０００７】
前記第１音響は、前記第２音響よりも高周波数帯域において音圧レベルが高く、前記第２音響は、前記第１音響よりも低周波数帯域において音圧レベルが高いことが好ましい。
前記第２音響発生装置は、第２音響信号に応じて前記第２音響を出力するスピーカー装置であり得る。
第３音響信号に応じて第３音響を出力するスピーカー装置である第３音響発生装置をさらに備え得る。
前記第１音響は、前記第３音響よりも高周波数帯域において音圧レベルが高く、前記第３音響は、前記第１音響よりも低周波数帯域において音圧レベルが高いことが好ましい。
【０００８】
前記第２及び第３音響発生装置は、前記第２面上に配置される回路ボード上に配置され得る。
前記第２音響発生装置は、前記回路ボードの一側に配置され、前記第３音響発生装置は、前記回路ボードの他側に配置され得る。
通話モードにおいて、前記第１音響発生装置が前記第１音響を出力し、ステレオ音響モードにおいて、前記第１乃至第３音響発生装置のうちの少なくとも二つが音響を出力し、モノ音響モードにおいて、前記第１乃至第３音響発生装置のうちのいずれか一つが音響を出力し得る。
【０００９】
前記第２音響発生装置は、前記表示パネルの前記第２面に付着され、前記第２音響を発生するための第２音響信号に応じて振動を発生する振動発生装置であり得る。
第３音響信号に応じて第３音響を出力する第３音響発生装置をさらに備え得る。
前記第１音響は、前記第３音響よりも高周波数帯域において音圧レベルが高く、前記第３音響は、前記第１音響よりも低周波数帯域において音圧レベルが高く、前記第２音響は、前記第３音響よりも高周波数帯域において音圧レベルが高く、前記第３音響は、前記第２音響よりも低周波数帯域において音圧レベルが高いことが好ましい。
前記第３音響発生装置は、前記表示パネルの前記第２面上に配置される回路ボード上に配置されることが好ましい。
前記第３音響信号は、ユーザに多様な触覚を提供するための触覚信号を含み得る。
通話モードにおいて、前記第１及び第２音響発生装置のうちのいずれか一つが音響を出力し、ステレオ音響モードにおいて、前記第１及び第２音響発生装置または前記第１乃至第３音響発生装置を用いて音響を出力し、モノ音響モードにおいて、前記第１及び第２音響発生装置のうちのいずれか一つが音響を出力し得る。
【００１０】
前記第１音響発生装置は、前記表示パネルの第２面の一側に配置され、前記第２音響発生装置は、前記表示パネルの第２面の一側の反対側に配置され得る。
通話モードにおいて、前記第１音響発生装置が前記第２音響発生装置よりも高い側に位置する場合、前記第１音響発生装置が前記第１音響を出力し、前記第２音響発生装置が前記第１音響発生装置よりも高い側に位置する場合、前記第２音響発生装置が前記第２音響を出力し得る。
【００１１】
前記第３音響発生装置は、スピーカー装置であり得る。
通話モードにおいて、前記第１及び第２音響発生装置のうちのいずれか一つが音響を出力し、立体音響モードにおいて、前記第１乃至第３音響発生装置のうちの少なくとも二つが音響を出力し、モノ音響モードにおいて、前記第１乃至第３音響発生装置のうちの少なくとも一つが音響を出力する。
【００１２】
第３音響信号に応じて第３音響を出力するスピーカー装置である第３音響発生装置と、第４音響信号に応じて第４音響を出力する振動発生装置である第４音響発生装置をさらに備え得る。
前記第３及び第４音響発生装置は、前記表示パネルの前記第２面上に配置される回路ボード上に配置され得る。
前記第４音響信号は、ユーザに多様な触覚を提供するための触覚信号を含み得る。
前記第４音響は、前記第１乃至第３音響よりも低周波数帯域において音圧レベルが高く、前記第３音響は、前記低周波数帯域よりも高い中周波数帯域において、前記第１、第２、及び第４音響よりも前記音圧レベルが高く、前記第１音響または前記第２音響は、前記中周波数帯域よりも高い高周波数帯域において、前記第３音響と第４音響よりも前記音圧レベルが高いことが好ましい。
前記第４音響は、前記第１乃至第３音響よりも低周波数帯域において音圧レベルが高く、前記第３音響は、前記低周波数帯域よりも高い中周波数帯域において、前記第１、第２、及び第４音響よりも音圧レベルが高く、前記第２音響は、前記中周波数帯域よりも高い第２高周波数帯域において、前記第１、第３、及び第４音響よりも音圧レベルが高く、前記第１音響は、前記第２高周波数帯域よりも高い第１高周波数帯域において、前記第２乃至第４音響によりも音圧レベルが高いことが好ましい。
通話モードにおいて、前記第１及び第２音響発生装置のうちのいずれか一つが音響を出力し、ステレオ音響モードにおいて、前記第１乃至第３音響発生装置のうちの少なくとも二つまたは前記第１乃至第３音響発生装置のうちの少なくとも二つと前記第４音響発生装置が音響を出力し、モノ音響モードにおいて、前記第１乃至第３音響発生装置のうちのいずれか一つが音響を出力する。
【発明の効果】
【００１３】
本発明によれば、音響発生装置を振動発生装置として具現して表示パネルの下面に付着することで、表示装置の前面に配置される音響発生装置を除去することができるので、表示装置の前面の表示領域を広げられる効果を奏する。
また、音響発生装置を表示パネルの下面に付着して、表示パネルの下部に配置された音響回路ボードに接続し、音響回路ボードを表示回路ボードに接続されるので、音響発生装置及び音響回路ボードを表示パネルと一つにモジュール化することができる。
また、音響発生装置を振動発生装置として具現して表示パネルの下面とメイン回路ボードとに付着することにより、音響発生装置が外部から見えないようにすることができるので、表示装置の防水及び防塵に有利である。
【００１４】
さらに、本発明によれば、少なくとも二つの音響発生装置を用いて音響を提供することで、２チャンネル以上の立体音響を提供することができる。
また、音響発生装置が互いに異なる周波数帯域を有する音響を提供することで、ユーザに提供される音響の周波数帯域が拡張されるので、より豊かな音響を提供することができる。
また、モノ音響モードで音響発生装置のうちのいずれか一つを用いて音響を出力できるので、ステレオ音響モードに比べて消費電力を減らすことができる。
【図面の簡単な説明】
【００１５】
【図１】本発明の第１実施形態による表示装置を示す斜視図である。
【図２】本発明の第１実施形態による表示装置を示す分解斜視図である。
【図３】図２に示す表示装置のパネル下部部材の下面に形成された第１音響発生装置、音響回路ボード、パネル回路ボード、及びタッチ回路ボードを示す図である。
【図４】第１音響発生装置を示す平面図である。
【図５】図４のII−II’線に沿った断面図である。
【図６】第１音響発生装置の振動を説明するための一例を示す図である。
【図７】図３のI−I’線に沿った断面図である。
【図８】図７の一部領域の拡大断面図である。
【図９】図７の表示パネルの表示領域を詳しく示す断面図である。
【図１０】本発明の第１実施形態による表示装置の駆動方法を示すフローチャートである。
【図１１】本発明の第１実施形態における第１音響発生装置、第２音響発生装置、並びに第１及び第２音響発生装置を結合した場合の、周波数に対する音圧レベルを示すグラフである。
【図１２】本発明の第１実施形態における第１音響発生装置、第２音響発生装置、並びに第１及び第２音響発生装置を結合した場合の、周波数に対する音圧レベルを示すグラフである。
【図１３】本発明の第１実施形態における第１音響発生装置、第２音響発生装置、並びに第１及び第２音響発生装置を結合した場合の、周波数に対する音圧レベルを示すグラフである。
【図１４】本発明の第２実施形態による表示装置を示す斜視図である。
【図１５】本発明の第２実施形態による表示装置を示す分解斜視図である。
【図１６】図１５の表示装置のパネル下部部材の下面に形成された第１音響発生装置、第２音響発生装置、音響回路ボード、パネル回路ボード、及びタッチ回路ボードを示す図である。
【図１７】本発明の第２実施形態による表示装置の駆動方法の一例を示すフローチャートである。
【図１８】本発明の第２実施形態における第１音響発生装置、第３音響発生装置、並びに第１及び第３音響発生装置を結合した場合の、周波数に対する音圧レベルを示すグラフである。
【図１９】本発明の第２実施形態における第１音響発生装置、第３音響発生装置、並びに第１及び第３音響発生装置を結合した場合の、周波数に対する音圧レベルを示すグラフである。
【図２０】本発明の第２実施形態における第１音響発生装置、第３音響発生装置、並びに第１及び第３音響発生装置を結合した場合の、周波数に対する音圧レベルを示すグラフである。
【図２１】本発明の第２実施形態による表示装置の駆動方法の他の例を示すフローチャートである。
【図２２】第１音響発生装置が第２音響発生装置よりも高い側に位置する場合の表示装置を示す例を示す図である。
【図２３】第２音響発生装置が第１音響発生装置よりも高い側に位置する場合の表示装置を示す例を示す図である。
【図２４】本発明の第３実施形態による表示装置を示す斜視図である。
【図２５】図２４に示す表示装置の分解斜視図である。
【図２６】図２４に示す表示装置の分解斜視図である。
【図２７】本発明の第３実施形態による表示装置の駆動方法を示すフローチャートである。
【図２８】本発明の第４実施形態による表示装置を示す斜視図である。
【図２９】図２８に示す表示装置の分解斜視図である。
【図３０】図２８に示す表示装置の分解斜視図である。
【図３１】本発明の第４実施形態による表示装置の駆動方法を示すフローチャートである。
【図３２】本発明の第４実施形態において、第１音響発生装置、第３音響発生装置、第４音響発生装置及び第１〜第４音響発生装置を結合した場合の、周波数に対する音圧レベルを示すグラフである。
【図３３】本発明の第４実施形態において、第１音響発生装置、第３音響発生装置、第４音響発生装置及び第１〜第４音響発生装置を結合した場合の、周波数に対する音圧レベルを示すグラフである。
【図３４】本発明の第４実施形態において、第１音響発生装置、第３音響発生装置、第４音響発生装置及び第１〜第４音響発生装置を結合した場合の、周波数に対する音圧レベルを示すグラフである。
【図３５】本発明の第４実施形態において、第１音響発生装置、第３音響発生装置、第４音響発生装置及び第１〜第４音響発生装置を結合した場合の、周波数に対する音圧レベルを示すグラフである。
【図３６】本発明の第４実施例において、第１音響発生装置の、第２音響発生装置、第３音響発生装置、第４音響発生装置及び第１〜第４音響発生装置を結合した場合、周波数に対する音圧レベルを示すグラフである。
【図３７】本発明の第４実施例において、第１音響発生装置、第２音響発生装置、第３音響発生装置、第４音響発生装置及び第１〜第４音響発生装置を結合した場合の、周波数に対する音圧レベルを示すグラフである。
【図３８】本発明の第４実施例において、第１音響発生装置、第２音響発生装置、第３音響発生装置、第４音響発生装置及び第１〜第４音響発生装置を結合した場合の、周波数に対する音圧レベルを示すグラフである。
【図３９】本発明の第４実施例において、第１音響発生装置、第２音響発生装置、第３音響発生装置、第４音響発生装置及び第１〜第４音響発生装置を結合した場合の、周波数に対する音圧レベルを示すグラフである。
【図４０】本発明の第４実施例において、第１音響発生装置、第２音響発生装置、第３音響発生装置、第４音響発生装置及び第１〜第４音響発生装置を結合した場合の、周波数に対する音圧レベルを示すグラフである。
【発明を実施するための形態】
【００１６】
本発明の利点、特徴、及びこれを達成するための方法は、図面とともに詳細に後述する実施形態を参照すると明らかになる。しかし、本発明は、以下に開示する実施形態に限定されるものではなく、それぞれ異なる多様な形態で具現され、これらの実施形態は単に本発明の開示を完全なものにし、本発明が属する技術分野における通常の知識を有する者に本発明の技術範囲を完全に知らせるために提供されるものである。
【００１７】
素子（ｅｌｅｍｅｎｔｓ）または層が他の素子または層の「上（ｏｎ）」にあると記載される場合、他の素子の直上、または中間に他の層や他の素子を介在する場合をすべて含む。本明細書の全体に亘って同一の参照符号は、同一の構成要素を指す。本実施形態を説明するために図面に開示した形状、サイズ、割合、角度、個数などは例示的なものであって、本発明は図示された事項に限定されない。
【００１８】
第１、第２などの用語が、多様な構成要素を記述するために用いられるが、これらの構成要素は、これらの用語によって限定されない。これらの用語は、単に一つの構成要素を他の構成要素と区別するために用いられる。従って、以下に記載する第１構成要素は、本発明の技術的思想内で第２構成要素である。
【００１９】
本発明の多様な実施形態のそれぞれの特徴は、部分的または全体的に結合または組み合わせることが可能であり、技術的に多様な連動及び駆動が可能であり、各実施形態は互いに独立的または関連するものと共に実施可能である。
【００２０】
以下、図面を参照しながら本発明の実施形態について詳細に説明する。
【００２１】
図１及び図２は、本発明の第１実施形態による表示装置を示す斜視図及び分解斜視図である。
【００２２】
図１及び図２を参照すると、本発明の第１実施形態による表示装置は、携帯用端末機である場合を例に示す。携帯用端末機は、スマートフォン、タブレットＰＣ、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、ゲーム機、腕時計型電子機器などを含む。しかし、本実施形態による表示装置は、携帯用端末機に限定されず、テレビまたは外部広告板のような大型電子機器を始め、モニター、ノートパソコン、自動車ナビゲーション装置、カメラのような中小型電子機器などに用いられる。
【００２３】
図１及び図２を参照すると、本発明の第１実施形態による表示装置１０は、カバーウィンドウ１００、タッチ感知装置２００、タッチ回路ボード２１０、表示パネル３００、表示回路ボード３１０、パネル下部部材４００、第１音響発生装置５００、音響回路ボード６００、下部フレーム８００、メイン回路ボード９１０、及び下部カバー９００を備える。
【００２４】
本明細書において、「上部」、「トップ」、「上面」は、表示パネル３００を基準にカバーウィンドウ１００が配置される方向、すなわちＺ軸方向を指し、「下部」、「ボトム」、「下面」は、表示パネル３００を基準にパネル下部部材４００が配置される方向、すなわちＺ軸方向の反対方向を指す。
【００２５】
表示装置１０は、平面上で長方形形態を有する。例えば、表示装置１０は、図１に示すように第１方向（Ｘ軸方向）の短辺と第２方向（Ｙ軸方向）の長辺とを有する長方形の平面形態を有する。第１方向（Ｘ軸方向）の短辺と第２方向（Ｙ軸方向）の長辺とが接する角は、図１及び図２に示すように所定の曲率を有するように丸く形成されるか、又は直角に形成される。表示装置１０の平面形態は、長方形に限定されず、他の多角形、円形、または楕円形に形成される。
【００２６】
カバーウィンドウ１００は、表示パネル３００の上面をカバーするように表示パネル３００の上部に配置される。これによって、カバーウィンドウ１００は、表示パネル３００の上面を保護する機能を果たす。カバーウィンドウ１００は、図７に示すように接着層１１０を介してタッチ感知装置２００に付着される。接着層１１０は、透明接着フィルム（ｏｐｔｉｃａｌｌｙ  ｃｌｅａｒｅｄ  ａｄｈｅｓｉｖｅ  ｆｉｌｍ、ＯＣＡ）または透明接着レジン（ｏｐｔｉｃａｌｌｙ  ｃｌｅａｒｅｄ  ｒｅｓｉｎ、ＯＣＲ）である。
【００２７】
カバーウィンドウ１００は、図２に示すように表示パネル３００の表示領域ＤＡに対応する透過部ＤＡ１００と表示パネル３００の非表示領域ＮＤＡに対応する遮光部ＮＤＡ１００とを含む。カバーウィンドウ１００の遮光部ＮＤＡ１００は、不透明に形成される。または、カバーウィンドウ１００の遮光部ＮＤＡ１００は、画像を表示しない時にユーザに表示されるパターンが形成されたデコ層で形成される。例えば、カバーウィンドウ１００の遮光部ＮＤＡ１００には「ＳＡＭＳＵＮＧ」のように会社のロゴまたは多様な文字がパターニングされる。
【００２８】
カバーウィンドウ１００は、ガラス、サファイア、及び／またはプラスチックからなる。カバーウィンドウ１００は、リジッド（ｒｉｇｉｄ）であるか、またはフレキシブル（ｆｌｅｘｉｂｌｅ）に形成される。
【００２９】
カバーウィンドウ１００と表示パネル３００との間にはタッチ感知装置２００が配置される。タッチ感知装置２００は、ユーザのタッチ位置を感知するための装置であって、自己容量（ｓｅｌｆ−ｃａｐａｃｉｔａｎｃｅ）方式または相互容量（ｍｕｔｕａｌ  ｃａｐａｃｉｔａｎｃｅ）方式のような静電容量方式、または赤外線方式で具現される。
【００３０】
タッチ感知装置２００は、パネル形態またはフィルム形態で形成される。または、タッチ感知装置２００は、表示パネル３００と一体に形成される。例えば、タッチ感知装置２００がフィルム形態で形成される場合、表示パネル３００を封止するためのバリアフィルム（ｂａｒｒｉｅｒ  ｆｉｌｍ）と一体に形成される。
【００３１】
タッチ感知装置２００は、ユーザの圧力を感知できる圧力センサを含み得る。または、タッチ感知装置２００上にユーザの圧力を感知できる圧力センサを含む別途の圧力感知装置が付着され得る。
【００３２】
タッチ感知装置２００の一側にはタッチ回路ボード２１０が付着される。具体的に、タッチ回路ボード２１０は、異方性導電フィルム（ａｎｉｓｏｔｒｏｐｉｃ  ｃｏｎｄｕｃｔｉｖｅ  ｆｉｌｍ）を用いてタッチ感知装置２００の一側に設けられたパッド上に付着される。また、タッチ回路ボード２１０には図３に示すようにタッチ接続部２３０が設けられ、タッチ接続部２３０は、表示回路ボード３１０の第１コネクタ３３０に接続される。タッチ回路ボード２１０は、フレキシブルプリント回路基板（ｆｌｅｘｉｂｌｅ  ｐｒｉｎｔｅｄ  ｃｉｒｃｕｉｔ  ｂｏａｒｄ）またはチップオンフィルム（ｃｈｉｐ  ｏｎ  ｆｉｌｍ）である。
【００３３】
タッチ駆動回路２２０は、タッチ感知装置２００にタッチ駆動信号を印加し、タッチ感知装置２００から感知信号を受信し、感知信号を分析してユーザのタッチ位置を算出する。タッチ駆動回路２２０は、集積回路（ｉｎｔｅｇｒａｔｅｄ  ｃｉｒｃｕｉｔ）で形成され、タッチ回路ボード２１０上に実装される。
【００３４】
表示パネル３００は、表示領域ＤＡと非表示領域ＮＤＡとを含む。表示領域ＤＡは、映像が表示される領域であり、非表示領域ＮＤＡは、映像が表示されない領域であり、表示領域ＤＡの周辺領域である。非表示領域ＮＤＡは、図１及び図２に示すように表示領域ＤＡを取り囲むように配置されるが、これに限定されない。表示領域ＤＡは、カバーウィンドウ１００の透過部ＤＡ１００に重なり、非表示領域ＮＤＡは、カバーウィンドウ１００の遮光部ＮＤＡ１００に重なるように配置される。
【００３５】
表示パネル３００は、発光素子（ｌｉｇｈｔ  ｅｍｉｔｔｉｎｇ  ｅｌｅｍｅｎｔ）を備える発光表示パネルである。例えば、表示パネル３００は、有機発光ダイオード（ｏｒｇａｎｉｃ  ｌｉｇｈｔ  ｅｍｉｔｔｉｎｇ  ｄｉｏｄｅ）を用いる有機発光表示パネル、超小型発光ダイオード（ｍｉｃｒｏ  ＬＥＤ）を用いる超小型発光ダイオード表示パネル、または量子ドット発光素子（Ｑｕａｎｔｕｍ  ｄｏｔ  Ｌｉｇｈｔ  Ｅｍｉｔｔｉｎｇ  Ｄｉｏｄｅ）を含む量子ドット発光表示パネルである。以下では、表示パネル３００が有機発光表示パネルである場合を中心に説明し、表示パネル３００に関する詳しい説明は図９を参照して後述する。
【００３６】
表示パネル３００の上面には外部光反射による視認性低下を防止するために偏光フィルムが付着される。
【００３７】
表示パネル３００の一側には表示回路ボード３１０が付着される。具体的に、表示回路ボード３１０は、異方性導電フィルムを用いて表示パネル３００の一側に設けられたパッド上に付着される。
【００３８】
タッチ回路ボード２１０及び表示回路ボード３１０は、図７に示すように表示パネル３００の上部から下部に曲げられる。これに対し、音響回路ボード６００は、パネル下部部材４００の下部に配置されるので曲げられない。
【００３９】
図３は、図２に示す表示装置のパネル下部部材の下面に形成された第１音響発生装置、音響回路ボード、パネル回路ボード、及びタッチ回路ボードを示す図である。表示回路ボード３１０は、第１コネクタ３３０を介してタッチ回路ボード２１０のタッチ接続部２３０に接続される。表示回路ボード３１０は、第２コネクタ３４０を介して音響回路ボード６００の音響接続部６４０に接続される。表示回路ボード３１０は、第３コネクタ３５０を介してメイン回路ボード９１０に接続される。図３では表示回路ボード３１０が第１〜第３コネクタ（３３０、３４０、３５０）を備える場合を例示するが、これに限定されない。例えば、表示回路ボード３１０は、第１及び第２コネクタ（３３０、３４０）の代わりに、それに対応するパッドを備え得る。この場合、表示回路ボード３１０は、異方性導電フィルムを用いてタッチ回路ボード２１０及び音響回路ボード６００に接続される。
【００４０】
表示駆動回路３２０は、表示回路ボード３１０を介して表示パネル３００を駆動するための信号と電圧とを出力する。表示駆動回路３２０は、集積回路で形成されて表示回路ボード３１０上に実装されるが、これに限定されない。例えば、表示駆動回路３２０は、表示パネル３００の一側に付着される。
【００４１】
パネル下部部材４００は、表示パネル３００の下面に配置される。パネル下部部材４００は、表示パネル３００の熱を効率的に放出するための放熱層、電磁波を遮蔽するための電磁波遮蔽層、外部から入射する光を遮断するための遮光層、外部から入射する光を吸収するための光吸収層、及び外部からの衝撃を吸収するための緩衝層のうちの少なくとも一つを備える。
【００４２】
具体的に、図８に示すように、パネル下部部材４００は、光吸収部材４１０、緩衝部材４２０、放熱部材４３０、第１〜第３接着層（４４１、４４２、４４３）を備える。
【００４３】
光吸収部材４１０は、表示パネル３００の下部に配置される。光吸収部材４１０は、光の透過を阻止して光吸収部材４１０の下部に配置されている構成物、すなわち、第１音響発生装置５００が表示パネル３００の上部から視認されるのを防止する。光吸収部材４１０は、ブラック顔料や染料などのような光吸収物質を含む。
【００４４】
緩衝部材４２０は、光吸収部材４１０の下部に配置される。緩衝部材４２０は、外部衝撃を吸収して表示パネル３００の破損を防止する。緩衝部材４２０は、単一層または複数層からなる。例えば、緩衝部材４２０は、ポリウレタン（ｐｏｌｙｕｒｅｔｈａｎｅ）、ポリカーボネート（ｐｏｌｙｃａｒｂｏｎａｔｅ）、ポリプロピレン（ｐｏｌｙｐｒｏｐｙｌｅｎｅ）、ポリエチレン（ｐｏｌｙｅｔｈｙｌｅｎｅ）などのような高分子樹脂で形成されるか、ゴム、ウレタン系物質、またはアクリル系物質を発泡成形したスポンジなどの弾性を有する物質を含んでなる。緩衝部材４２０は、クッション層である。
【００４５】
放熱部材４３０は、緩衝部材４２０の下部に配置される。放熱部材４３０は、少なくとも一つの放熱層を含む。例えば、図８に示すように放熱部材４３０は、グラファイトや炭素ナノチューブなどを含む第１放熱層４３１、電磁波を遮蔽できて熱伝導性に優れる銅、ニッケル、フェライト、銀のような金属薄膜で形成された第２放熱層４３２、及び第１放熱層４３１と第２放熱層４３２とを接着するための第４接着層４３３を含む。
【００４６】
第１接着層４４１は、光吸収部材４１０を表示パネル３００の下面に付着させる。第２接着層４４２は、緩衝部材４２０を光吸収部材４１０の下面に付着させる。第３接着層４４３は、放熱部材４３０を緩衝部材４２０の下面に付着させる。第１〜第３接着層（４４１、４４２、４４３）のそれぞれは、シリコン系、ウレタン系、シリコン−ウレタンハイブリッド構造のＳＵポリマー、アクリル系、イソシアネート系、ポリビニルアルコール系、ゼラチン系、ビニル系、ラテックス系、ポリエステル系、水系ポリエステル系などに分類される高分子物質を含む。
【００４７】
第１音響発生装置５００は、パネル下部部材４００の下面に配置される。第１音響発生装置５００がパネル下部部材４００の放熱部材４３０上に配置されると、第１音響発生装置５００の振動によって放熱部材４３０の第１放熱層４３１または第２放熱層４３２が割れる。そのため、第１音響発生装置（５００）が配置される領域では放熱部材４３０が除去され、第１音響発生装置５００は、緩衝部材４２０上に配置される。
【００４８】
第１音響発生装置５００は、第１音響信号に応じて振動を発生することで第１音響を出力する。このために、第１音響発生装置５００は、第１音響信号に応じて変形する振動層５３０によって振動する。または、第１音響発生装置５００は、磁石を取り囲むコイルに第１音響信号による電流を流すことで発生する電磁気力によって振動する。以下では、第１音響発生装置５００が振動層５３０によって振動することで音響を発生する場合を中心に説明する。
【００４９】
第１音響発生装置５００は、図４及び図５に示すように第１電極５１０、第２電極５２０、振動層５３０、基板５４０、第１パッド５５０、及び第２パッド５６０を備える。
【００５０】
第１電極５１０は、基板５４０の第１面上に配置され、第１電極５１０上には振動層５３０が配置され、振動層５３０上には第２電極５２０が配置される。第１パッド５５０及び第２パッド５６０は、基板５４０の第２面上に配置される。
【００５１】
第１電極５１０及び第２電極５２０は、導電性物質で形成される。例えば、導電性物質は、ＩＴＯ（ｉｎｄｉｕｍ  Ｔｉｎ  Ｏｘｉｄｅ）及びＩＺＯ（ｉｎｄｉｕｍ  Ｚｉｎｃ  Ｏｘｉｄｅ）のような透明導電性物質（ｔｒａｎｓｐａｒｅｎｔ  ｃｏｎｄｕｃｔｉｖｅ  ｍａｔｅｒｉａｌ）、不透明な金属物質、導電性ポリマー、炭素ナノチューブ（ＣＮＴ）などである。
【００５２】
第１電極５１０は、基板５４０を貫く第１コンタクトホールＣＨ１を介して第１パッド５５０に接続される。これにより、第１電極５１０は、第１パッド５５０を介して音響回路ボード６００の音響駆動回路６１０からの第１駆動電圧の印加を受ける。
【００５３】
第２電極５２０は、振動層５３０と基板５４０とを貫く第２コンタクトホールＣＨ２を介して第２パッド５６０に接続される。これにより、第２電極５２０は、第２パッド５６０を介して音響回路ボード６００の音響駆動回路６１０からの第２駆動電圧の印加を受ける。
【００５４】
振動層５３０は、第１電極５１０に印加された電圧と第２電極５２０に印加された電圧との間の電圧差によって図６に示すように変形されるピエゾアクチュエータ（ｐｉｅｚｏ  ａｃｔｕａｔｏｒ）である。この場合、振動層５３０は、ＰＶＤＦ（Ｐｏｌｙ  Ｖｉｎｙｌｉｄｅｎｅ  Ｆｌｕｏｒｉｄｅ）フィルムやＰＺＴ（ジルコン酸チタン酸鉛セラミック）などの圧電体、電気活性高分子（Ｅｌｅｃｔｒｏ  Ａｃｔｉｖｅ  Ｐｏｌｙｍｅｒ）のうちの少なくともいずれか一つである。
【００５５】
この場合、振動層５３０は、第１電極５１０に印加される第１駆動電圧と第２電極５２０に印加される第２駆動電圧との間の電圧差によって、第１力Ｆ１に応じて収縮するか、または第２力Ｆ２に応じて弛緩または膨張する。具体的に、図６に示すように、第１電極５１０に隣接する振動層５３０が正極性の特性を有し、第２電極５２０に隣接する振動層５３０が負極性の特性を有する場合、第１電極５１０に正極性の第１駆動電圧が印加され、第２電極５２０に負極性の第２駆動電圧が印加されると、振動層５３０は、第１力Ｆ１に応じて収縮する。また、第１電極５１０に隣接する振動層５３０が正極性の特性を有し、第２電極５２０に隣接する振動層５３０が負極性の特性を有する場合、第１電極５１０に負極性の第１駆動電圧が印加され、第２電極５２０に正極性の第２駆動電圧が印加されると、振動層５３０は第２力Ｆ２に応じて収縮し得る。第１電極５１０に印加される第１駆動電圧と第２電極５２０に印加される第２駆動電圧とが正極性と負極性とに交互に繰り返されると、振動層５３０は収縮と弛緩とを繰り返す。このように第１音響発生装置５００が振動することによって、表示パネル３００は上下に振動するので第１音響が出力される。
【００５６】
第１音響発生装置５００によって表示パネル３００を振動させて第１音響が出力されるので、表示パネル３００は振動板としての役割を果たす。振動板のサイズが大きいほど振動板から出力される音響の音圧強度が大きい。表示装置に適用されるスピーカーの振動板のサイズは、表示パネル３００の面積に比べて小さいため、表示パネル３００を振動板として用いる場合、スピーカーを用いる場合よりも音響の音圧強度を大きくできる。
【００５７】
また、第１音響発生装置５００によって表示パネル３００を振動させて第１音響が出力されるので、表示装置１０は外から見えない音響発生装置によって音響を出力する。これにより、表示装置１０の前面に配置される音響発生装置を除去できるので、ウィンドウ１００の透過部ＤＡ１００が広くなる。すなわち、表示装置１０の表示領域が広くなる。
【００５８】
基板５４０は、絶縁性物質からなり、例えばプラスチックで形成される。
第１パッド５５０及び第２パッド５６０は音響回路ボード６００に接続される。第１パッド５５０及び第２パッド５６０は導電性物質で形成される。
【００５９】
第１音響発生装置５００は、音響回路ボード６００に接続される。具体的に、音響回路ボード６００は、異方性導電フィルムを用いて第１音響発生装置５００の第１及び第２パッド（５５０、５６０）上に付着される。また、音響回路ボード６００には図３に示すように音響接続部６４０が設けられ、音響接続部６４０は、表示回路ボード３１０の第２コネクタ３４０に接続される。音響回路ボード６００は、フレキシブルプリント回路基板またはチップオンフィルムである。
【００６０】
音響駆動回路６１０は、集積回路で形成されて音響回路ボード６００上に実装される。音響駆動回路６１０は、メイン回路ボード９１０のメインプロセッサ９２０から提供される第１音響データに応じて第１音響信号を生成する。この場合、メインプロセッサ９２０から提供された第１音響データは、メイン回路ボード９１０、表示回路ボード３１０、及び音響回路ボード６００を経由して音響駆動回路６１０に提供され、音響駆動回路６１０で生成された第１音響信号は、音響回路ボード６００を介して第１音響発生装置５００に伝送される。
【００６１】
音響駆動回路６１０は、デジタル信号である第１音響データを処理するデジタル信号処理部（ｄｉｇｉｔａｌ  ｓｉｇｎａｌ  ｐｒｏｃｅｓｓｅｒ、ＤＳＰ）、デジタル信号処理部で処理したデジタル信号である第１音響データをアナログ信号である第１音響信号に変換するデジタルアナログ変換部（ｄｉｇｉｔａｌ  ａｎａｌｏｇ  ｃｏｎｖｅｒｔｅｒ、ＤＡＣ）、デジタルアナログ変換部で変換したアナログ信号である第１音響信号を増幅して出力する増幅器（ａｍｐｌｉｆｉｅｒ、ＡＭＰ）などを含む。
【００６２】
本発明の第１実施形態による表示装置は、第１音響発生装置５００が表示パネル３００の下部に配置されたパネル下部部材４００に付着されて音響駆動回路６１０が搭載された音響回路ボード６００に接続され、音響駆動回路６１０が表示回路ボード３１０に接続されることで、第１音響発生装置５００及び音響回路ボード６００が表示パネル３００と一つにモジュール化される。
【００６３】
パネル下部部材４００及び音響回路ボード６００の下部には下部フレーム８００が配置される。下部フレーム８００は、カバーウィンドウ１００、タッチ感知装置２００、表示パネル３００、パネル下部部材４００、第１音響発生装置５００、タッチ回路ボード２１０、表示回路ボード３１０、及び音響回路ボード６００を取り囲むように配置される。下部フレーム８００は、合成樹脂、金属、または合成樹脂及び金属をすべて含む。
【００６４】
表示装置１０の実施形態に応じて、下部フレーム８００の側面は、表示装置１０の側面に露出するか、または下部フレーム８００を省略して下部カバー９００のみが存在する。
【００６５】
下部フレーム８００の下部にはメイン回路ボード９１０が配置される。メイン回路ボード９１０は、メインコネクタ９９０に接続されたケーブルを介して表示回路ボード３１０の第３コネクタ３５０に接続される。これによって、メイン回路ボード９１０は、表示回路ボード３１０、タッチ回路ボード２１０、及び音響回路ボード６００に接続される。メイン回路ボード９１０は、プリント回路基板（ｐｒｉｎｔｅｄ  ｃｉｒｃｕｉｔ  ｂｏａｒｄ）またはフレキシブルプリント回路基板である。
【００６６】
メイン回路ボード９１０は、図２に示すようにメインプロセッサ９２０、第２音響発生装置９３０、第３音響発生装置９４０、充電端子９５０、及びカメラ装置９６０を含む。
【００６７】
メインプロセッサ９２０は、表示装置１０のすべての機能を制御する。例えば、メインプロセッサ９２０は、表示パネル３００が映像を表示するように映像データを表示回路ボード３１０の表示駆動回路３２０に出力する。また、メインプロセッサ９２０は、第１音響発生装置５００が音響を出力するように第１音響データを表示回路ボード３１０を経由して音響回路ボード６００の音響駆動回路６１０に出力する。また、メインプロセッサ９２０は、第２音響発生装置９３０が音響を出力するように第２音響データを第２音響発生装置９３０に出力し、第３音響発生装置９４０が音響を出力するように第３音響データを第３音響発生装置９４０に出力する。さらに、メインプロセッサ９２０は、カメラ装置９６０の駆動を制御する。
【００６８】
メインプロセッサ９２０は、集積回路からなるアプリケーションプロセッサ（ａｐｐｌｉｃａｔｉｏｎ  ｐｒｏｃｅｓｓｏｒ）である。
【００６９】
第２音響発生装置９３０及び第３音響発生装置９４０は、スピーカー（ｓｐｅａｋｅｒ）である。具体的に、第２音響発生装置９３０及び第３音響発生装置９４０のそれぞれは、デジタル信号処理部、デジタルアナログコンバータ、増幅器、及び音響出力部を備える。この場合、デジタル信号処理部は、メインプロセッサ９２０からの音響データを処理し、デジタルアナログコンバータは、音響データをアナログ信号である音響信号に変換し、増幅器は、音響信号を増幅して出力し、音響出力部は、音響信号に応じて音響を出力する。これによって、第２音響発生装置９３０は、メインプロセッサ９２０から出力された第２音響データを変換した第２音響信号に応じて第２音響を出力し、第３音響発生装置９４０は、メインプロセッサ９２０から出力された第３音響データを変換した第３音響信号に応じて第３音響を出力する。
【００７０】
または、第２音響発生装置９３０及び第３音響発生装置９４０のそれぞれは、音響出力部のみを含む。この場合、第２音響発生装置９３０は、メインプロセッサ９２０から出力された第２音響信号に応じて第２音響を出力し、第３音響発生装置９４０は、メインプロセッサ９２０から出力された第３音響信号に応じて第３音響を出力する。
【００７１】
第２音響発生装置９３０は、メイン回路ボード９１０の一側に配置され、第３音響発生装置９４０は、メイン回路ボード９１０の他側に配置される。例えば、図１及び図２に示すように第２音響発生装置９３０は、メイン回路ボード９１０の一側に配置されて下部カバー９００の一側に配置されたスピーカー溝（ＳＨ１、ＳＨ２）を介して表示装置１０の一側で第２音響を提供する。また、第３音響発生装置９４０はメイン回路ボード９１０の他側に配置され、下部カバー９００の他側に配置されたスピーカー溝（図示せず）を介して表示装置１０の他側で第３音響を提供する。表示装置１０の一側及び他側は、互いに対向する側であることが好ましいが、これに限定されない。
【００７２】
図１及び図２では、第２音響発生装置９３０が、充電端子９５０を間に置いて、充電端子９５０の一側に配置された第２−１音響発生装置９３１と充電端子９５０の他側に配置された第２−２音響発生装置９３２とを備える場合を例示するが、これに限定されない。例えば、第２音響発生装置９３０は、充電端子９５０の一側及び他側のうちのいずれか一側にのみ配置される。または、充電端子９５０は、第２−１音響発生装置９３１が配置された位置及び第２−２音響発生装置９３２が配置された位置のうちのいずれか一つの位置に配置され、第２音響発生装置９３０は、充電端子９５０が配置されない残りの位置に配置される。
【００７３】
充電端子９５０は、外部から電源の供給を受ける端子であり、メイン回路ボード９１０の電源供給部に接続される。
【００７４】
カメラ装置９６０は、カメラモードにおいてイメージセンサによって得られる静止映像または動画などの画像フレームを処理してメインプロセッサ９２０に出力する。
【００７５】
その他に、メイン回路ボード９１０には移動通信網上で基地局、外部端末、またはサーバーのうちの少なくとも一つと無線信号を送受信する移動通信モジュールがさらに実装される。無線信号は、音声信号、ビデオ電話信号、または文字／マルチメディアメッセージの送受信に対応する多様な形態のデータを含む。
【００７６】
下部カバー９００は、下部フレーム８００及びメイン回路ボード９１０の下部に配置される。下部カバー９００は、表示装置１０の下面の外観を形成する。下部カバー９００の一側面には充電端子９５０を露出するための充電端子溝ＣＴと、第２音響発生装置９３０及び第３音響発生装置９４０の音響出力のためのスピーカー溝（ＳＨ１、ＳＨ２）とが形成される。下部カバー９００は、プラスチック及び／または金属を含む。
【００７７】
図９は、図７に示す表示パネルの表示領域を詳しく示す断面図である。図９では表示パネル３００が有機発光ダイオードを用いる有機発光表示パネルである場合を中心に説明する。表示パネル３００の表示領域ＤＡは、発光素子層３０４が形成されて映像を表示する領域を指し、非表示領域ＮＤＡは表示領域ＤＡの周辺領域を指す。
【００７８】
図９を参照すると、表示パネル３００は、支持基板３０１、フレキシブル基板３０２、薄膜トランジスタ層３０３、発光素子層３０４、封止層３０５、及びバリアフィルム３０６を備える。
【００７９】
支持基板３０１上にはフレキシブル基板３０２が配置される。支持基板３０１及びフレキシブル基板３０２のそれぞれは、柔軟性を有する高分子物質を含む。例えば、支持基板３０１及びフレキシブル基板３０２のそれぞれは、ポリエーテルサルホン（ｐｏｌｙｅｔｈｅｒｓｕｌｐｈｏｎｅ：ＰＥＳ）、ポリアクリレート（ｐｏｌｙａｃｒｙｌａｔｅ：ＰＡ）、ポリアリレート（ｐｏｌｙａｒｙｌａｔｅ：ＰＡＲ）、ポリエーテルイミド（ｐｏｌｙｅｔｈｅｒｉｍｉｄｅ：ＰＥＩ）、ポリエチレンナフタレート（Ｐｏｌｙｅｔｈｙｌｅｎｅ  Ｎａｐｈｔｈａｌａｔｅ：ＰＥＮ）、ポリエチレンテレフタラート（ｐｏｌｙｅｔｈｙｌｅｎｅ  ｔｅｒｅｐｈｔｈａｌａｔｅ：ＰＥＴ）、ポリフェニレンスルフィド（ｐｏｌｙｐｈｅｎｙｌｅｎｅｓｕｌｆｉｄｅ：ＰＰＳ）、ポリアリレート（ｐｏｌｙａｌｌｙｌａｔｅ）、ポリイミド（ｐｏｌｙｉｍｉｄｅ：ＰＩ）、ポリカーボネート（ｐｏｌｙｃａｒｂｏｎａｔｅ：ＰＣ）、セルローストリアセテート（ｃｅｌｌｕｌｏｓｅｔｒｉａｃｅｔａｔｅ：ＣＡＴ）、セルロースアセテートプロピオネート（ｃｅｌｌｕｌｏｓｅ  ａｃｅｔａｔｅ  ｐｒｏｐｉｏｎａｔｅ：ＣＡＰ）、またはこれらの組み合わせである。
【００８０】
フレキシブル基板３０２上には薄膜トランジスタ層３０３が形成される。薄膜トランジスタ層３０３は、薄膜トランジスタ３３５、ゲート絶縁膜３３６、層間絶縁膜３３７、保護膜３３８、及び平坦化膜３３９を含む。
【００８１】
フレキシブル基板３０２上にはバッファー膜（図示せず）が形成される。バッファー膜は、防湿性が脆弱な支持基板３０１とフレキシブル基板３０２とを介して浸透する水分から薄膜トランジスタ３３５と発光素子とを保護するためにフレキシブル基板３０２上に形成される。バッファー膜は、交互に積層された複数の無機膜からなる。例えば、バッファー膜は、シリコン酸化膜（ＳｉＯｘ）、シリコン窒化膜（ＳｉＮｘ）、及びＳｉＯＮ膜の中の一つ以上の無機膜が交互に積層された多重膜で形成される。バッファー膜は省略できる。
【００８２】
バッファー膜上には薄膜トランジスタ３３５が形成される。薄膜トランジスタ３３５は、アクティブ層３３１、ゲート電極３３２、ソース電極３３３、及びドレイン電極３３４を備える。図９において薄膜トランジスタ３３５は、ゲート電極３３２がアクティブ層３３１の上部に位置する上部ゲート（トップゲート、ｔｏｐ  ｇａｔｅ）方式で形成された場合を例に示すが、これに限定されない。すなわち、薄膜トランジスタ３３５は、ゲート電極３３２がアクティブ層３３１の下部に位置する下部ゲート（ボトムゲート、ｂｏｔｔｏｍ  ｇａｔｅ）方式、またはゲート電極３３２がアクティブ層３３１の上部及び下部のすべてに位置する二重ゲート（ｄｏｕｂｌｅ  ｇａｔｅ）方式で形成される。
【００８３】
バッファー膜上にはアクティブ層３３１が形成される。アクティブ層３３１は、シリコン系半導体物質または酸化物系半導体物質で形成される。バッファー膜とアクティブ層３３１との間にはアクティブ層３３１に入射する外部光を遮断するための遮光層（図示せず）が形成される。
【００８４】
アクティブ層３３１上にはゲート絶縁膜３３６が形成される。ゲート絶縁膜３３６は、無機膜、例えばシリコン酸化膜（ＳｉＯｘ）、シリコン窒化膜（ＳｉＮｘ）、またはこれらの多重膜で形成される。
【００８５】
ゲート絶縁膜３３６上にはゲート電極３３２及びゲート配線が形成される。ゲート電極３３２及びゲート配線は、モリブデン（Ｍｏ）、アルミニウム（Ａｌ）、クロム（Ｃｒ）、金（Ａｕ）、チタン（Ｔｉ）、ニッケル（Ｎｉ）、ネオジム（Ｎｄ）、及び銅（Ｃｕ）のうちのいずれか一つまたはこれらの合金からなる単一層または多重層で形成される。
【００８６】
ゲート電極３３２及びゲート配線上には層間絶縁膜３３７が形成される。層間絶縁膜３３７は、無機膜、例えばシリコン酸化膜（ＳｉＯｘ）、シリコン窒化膜（ＳｉＮｘ）、またはこれらの多重膜で形成される。
【００８７】
層間絶縁膜３３７上にはソース電極３３３、ドレイン電極３３４、及びデータ配線が形成される。ソース電極３３３及びドレイン電極３３４のそれぞれは、ゲート絶縁膜３３６と層間絶縁膜３３７とを貫くコンタクトホールを介してアクティブ層３３１に接続される。ソース電極３３３、ドレイン電極３３４、及びデータ配線は、モリブデン（Ｍｏ）、アルミニウム（Ａｌ）、クロム（Ｃｒ）、金（Ａｕ）、チタン（Ｔｉ）、ニッケル（Ｎｉ）、ネオジム（Ｎｄ）及び銅（Ｃｕ）のうちのいずれか一つまたはこれらの合金からなる単一層または多重層で形成される。
【００８８】
ソース電極３３３、ドレイン電極３３４、及びデータ配線上には薄膜トランジスタ３３５を絶縁するための保護膜３３８が形成される。保護膜３３８は、無機膜、例えばシリコン酸化膜（ＳｉＯｘ）、シリコン窒化膜（ＳｉＮｘ）、またはこれらの多重膜で形成される。
【００８９】
保護膜３３８上には薄膜トランジスタ３３５による段差を平坦にするための平坦化膜３３９が形成される。平坦化膜３３９は、アクリル樹脂（ａｃｒｙｌ  ｒｅｓｉｎ）、エポキシ樹脂（ｅｐｏｘｙ  ｒｅｓｉｎ）、フェノール樹脂（ｐｈｅｎｏｌｉｃ  ｒｅｓｉｎ）、ポリアミド樹脂（ｐｏｌｙａｍｉｄｅ  ｒｅｓｉｎ）、ポリイミド樹脂（ｐｏｌｙｉｍｉｄｅ  ｒｅｓｉｎ）などの有機膜で形成される。
【００９０】
薄膜トランジスタ層３０３上には発光素子層３０４が形成される。発光素子層３０４は、発光素子と画素定義膜３４４とを備える。
【００９１】
発光素子及び画素定義膜３４４は、平坦化膜３３９上に形成される。発光素子は、有機発光素子（ｏｒｇａｎｉｃ  ｌｉｇｈｔ  ｅｍｉｔｔｉｎｇ  ｄｅｖｉｃｅ）である。この場合、発光素子は、アノード電極３４１、発光層３４２、及びカソード電極３４３を含む。
【００９２】
アノード電極３４１は、平坦化膜３３９上に形成される。アノード電極３４１は、保護膜３３８と平坦化膜３３９とを貫くコンタクトホールを介して薄膜トランジスタ３３５のドレイン電極３３４に接続される。
【００９３】
画素定義膜３４４は、画素を区切るために平坦化膜３３９上でアノード電極３４１の縁を覆うように形成される。すなわち、画素定義膜３４４は、画素を定義する膜としての役割を果たす。各画素は、アノード電極３４１、発光層３４２、及びカソード電極３４３が順に積層されてアノード電極３４１からの正孔とカソード電極３４３からの電子とが発光層３４２で結合して発光する領域を示す。
【００９４】
アノード電極３４１及び画素定義膜３４４上には発光層３４２が形成される。発光層３４２は、有機発光層である。発光層３４２は赤色（ｒｅｄ）光、緑色（ｇｒｅｅｎ）光、及び青色（ｂｌｕｅ）光のうちの一つを発光する。赤色光のピーク波長範囲は、約６２０ｎｍ〜７５０ｎｍであり、緑色光のピーク波長範囲は、約４９５ｎｍ〜５７０ｎｍである。また、青色光のピーク波長範囲は、約４５０ｎｍ〜４９５ｎｍである。または、発光層３４２は、白色光を発光する白色発光層であり、この場合、赤色発光層、緑色発光層、及び青色発光層が積層された形態を有して、各画素に共通して形成される共通層である。この場合、表示パネル３００は、赤色、緑色、及び青色を表示するための別途のカラーフィルタ（Ｃｏｌｏｒ  Ｆｉｌｔｅｒ）をさらに備える。
【００９５】
発光層３４２は、正孔輸送層（ｈｏｌｅ  ｔｒａｎｓｐｏｒｔｉｎｇ  ｌａｙｅｒ）、発光層（ｌｉｇｈｔ  ｅｍｉｔｔｉｎｇ  ｌａｙｅｒ）、及び電子輸送層（ｅｌｅｃｔｒｏｎ  ｔｒａｎｓｐｏｒｔｉｎｇ  ｌａｙｅｒ）を備える。また、発光層３４２は、２スタック（ｓｔａｃｋ）以上のタンデム構造で形成され、この場合、スタックの間には電荷生成層が形成される。
【００９６】
カソード電極３４３は、発光層３４２上に形成される。カソード電極３４３は、発光層３４２を覆うように形成される。カソード電極３４３は、各画素に共通して形成される共通層である。
【００９７】
発光素子層３０４が上部方向に発光する上部発光（ｔｏｐ  ｅｍｉｓｓｉｏｎ）方式で形成される場合、アノード電極３４１は、アルミニウムとチタンとの積層構造（Ｔｉ／Ａｌ／Ｔｉ）、アルミニウムとＩＴＯとの積層構造（ＩＴＯ／Ａｌ／ＩＴＯ）、ＡＰＣ合金、及びＡＰＣ合金とＩＴＯとの積層構造（ＩＴＯ／ＡＰＣ／ＩＴＯ）のような反射率が高い金属物質で形成される。ＡＰＣ合金は銀（Ａｇ）、パラジウム（Ｐｄ）、及び銅（Ｃｕ）の合金である。また、カソード電極３４３は、光を透過させるＩＴＯや、ＩＺＯのような透明な金属物質（ＴＣＯ、Ｔｒａｎｓｐａｒｅｎｔ  Ｃｏｎｄｕｃｔｉｖｅ  Ｍａｔｅｒｉａｌ）、またはマグネシウム（Ｍｇ）、銀（Ａｇ）、またはマグネシウム（Ｍｇ）と銀（Ａｇ）との合金のような半透明金属物質（Ｓｅｍｉ−ｔｒａｎｓｍｉｓｓｉｖｅ  Ｃｏｎｄｕｃｔｉｖｅ  Ｍａｔｅｒｉａｌ）で形成される。カソード電極３４３が半透明金属物質で形成される場合、マイクロキャビティ（ｍｉｃｒｏ  ｃａｖｉｔｙ）構造によって出光効率が高くなる。
【００９８】
発光素子層３０４が下部方向に発光する下部発光（ｂｏｔｔｏｍ  ｅｍｉｓｓｉｏｎ）方式で形成される場合、アノード電極３４１は、ＩＴＯや、ＩＺＯのような透明な金属物質（ＴＣＯ：Ｔｒａｎｓｐａｒｅｎｔ  Ｃｏｎｄｕｃｔｉｖｅ  Ｍａｔｅｒｉａｌ）、またはマグネシウム（Ｍｇ）、銀（Ａｇ）、またはマグネシウム（Ｍｇ）と銀（Ａｇ）との合金のような半透明金属物質（Ｓｅｍｉ−ｔｒａｎｓｍｉｓｓｉｖｅ  Ｃｏｎｄｕｃｔｉｖｅ  Ｍａｔｅｒｉａｌ）で形成される。カソード電極３４３は、アルミニウムとチタンとの積層構造（Ｔｉ／Ａｌ／Ｔｉ）、アルミニウムとＩＴＯとの積層構造（ＩＴＯ／Ａｌ／ＩＴＯ）、ＡＰＣ合金、及びＡＰＣ合金とＩＴＯとの積層構造（ＩＴＯ／ＡＰＣ／ＩＴＯ）のような反射率が高い金属物質で形成される。アノード電極３４１が半透明金属物質で形成される場合、マイクロキャビティ（ｍｉｃｒｏ  ｃａｖｉｔｙ）構造によって出光効率が高くなる。
【００９９】
発光素子層３０４上には封止層３０５が形成される。封止層３０５は、発光層３４２とカソード電極３４３とに酸素または水分が浸透することを防止する役割を果たす。このために、封止層３０５は少なくとも一つの無機膜を備える。無機膜は、シリコン窒化物、アルミニウム窒化物、ジルコニウム窒化物、チタン窒化物、ハフニウム窒化物、タンタル窒化物、シリコン酸化物、アルミニウム酸化物、またはチタン酸化物で形成される。また、封止層３０５は、少なくとも一つの有機膜をさらに含む。有機膜は、異物（ｐａｒｔｉｃｌｅｓ）が封止層３０５を抜けて発光層３４２及びカソード電極３４３へ侵入するのを防止するために十分な厚さで形成される。有機膜は、エポキシ、アクリレート、またはウレタンアクリレートのうちのいずれか一つを含む。
【０１００】
封止層３０５上にはバリアフィルム３０６が配置される。バリアフィルム３０６は、発光素子層３０４を酸素や水分から保護するために封止層３０５を覆うように配置される。バリアフィルム３０６は、タッチ感知装置２００と一体に形成される。
【０１０１】
図１０は、本発明の第１実施形態による表示装置の駆動方法を示すフローチャートである。
【０１０２】
以下では、図１０を参照して本発明の第１実施形態による第１〜第３音響発生装置（５００、９３０、９４０）を備える表示装置１０の音響出力方法について詳しく説明する。
【０１０３】
図１０を参照すると、第一に、メインプロセッサ９２０は、表示装置１０が通話モードで動作中であるか否かを判断する（ステップＳ１０１）。通話モードは、メイン回路ボード９１０の移動通信モジュールを介してユーザが音声通話またはビデオ電話を行うモードを指す。
【０１０４】
第二に、メインプロセッサ９２０は、表示装置１０が通話モードで動作中である場合、第１音響発生装置５００を用いて第１音響を生成する（ステップＳ１０２）ことで、移動通信モジュールを介して受信した相手の音声を出力するように制御する。
【０１０５】
具体的に、メインプロセッサ９２０は、移動通信モジュールを介して受信した相手の音声に対応する第１音響データをメイン回路ボード９１０、表示回路ボード３１０、及び音響回路ボード６００を介して音響駆動回路６１０に出力する。音響駆動回路６１０は、第１音響データに応じて第１音響信号を生成し、音響駆動回路６１０を介して第１音響発生装置５００に出力する。したがって、第１音響発生装置５００は、第１音響信号に応じて第１音響を出力する。
【０１０６】
すなわち、表示装置１０は、通話モードにおいて外から見えない第１音響発生装置５００によって相手の音声を出力する。したがって、表示装置１０の前面に配置される音響発生装置を除去できるので、カバーウィンドウ１００の透過部ＤＡ１００が広くなる。
【０１０７】
第三に、メインプロセッサ９２０は、表示装置１０が音響出力モードで動作中であるか否かを判断する（ステップＳ１０３）。音響出力モードは、表示装置１０で音楽またはビデオなどのアプリケーションを実行することで音響を出力するモードである。
【０１０８】
第四に、メインプロセッサ９２０は、表示装置１０が音響出力モードで動作中である場合、ステレオ音響モードとモノ音響モードとのうちのいずれのモードであるかを判断する（ステップＳ１０４）。音響出力モードは、ステレオ音響モード（ｓｔｅｒｅｏ  ｍｏｄｅ）とモノ音響モード（ｍｏｎｏ  ｍｏｄｅ）とを含む。ステレオ音響モードは、ユーザに２チャンネル以上の立体音響を提供するモードであり、モノ音響モードは１チャンネルの音響を提供するモードである。
【０１０９】
第五に、メインプロセッサ９２０は、ステレオ音響モードで動作中である場合、第１〜第３音響発生装置（５００、９３０、９４０）のうちの少なくとも二つの音響発生装置で音響を生成して出力するように制御する（ステップＳ１０５）。
【０１１０】
例えば、メインプロセッサ９２０は、第１音響発生装置５００と第２音響発生装置９３０とで第１音響と第２音響とを生成するように制御することで、ユーザに２チャンネルの立体音響を提供する。具体的に、メインプロセッサ９２０は、第１音響データをメイン回路ボード９１０、表示回路ボード３１０、及び音響回路ボード６００を介して音響駆動回路６１０に出力し、第２音響データまたは第２音響信号を第２音響発生装置９３０に出力する。音響駆動回路６１０は、第１音響データに応じて第１音響信号を生成し、音響駆動回路６１０を介して第１音響発生装置５００に出力する。第１音響発生装置５００は、第１音響信号に応じて第１音響を出力する。第２音響発生装置９３０は、第２音響データによって生成された第２音響信号またはメインプロセッサ９２０からの第２音響信号に応じて第２音響を出力する。
【０１１１】
または、メインプロセッサ９２０は、第１音響発生装置５００と第３音響発生装置９４０とで第１音響と第３音響とを生成するように制御することで、ユーザに２チャンネルの立体音響を提供する。具体的に、メインプロセッサ９２０は、第１音響データをメイン回路ボード９１０、表示回路ボード３１０、及び音響回路ボード６００を介して音響駆動回路６１０に出力し、第３音響データまたは第３音響信号を第３音響発生装置９４０に出力する。音響駆動回路６１０は、第１音響データに応じて第１音響信号を生成し、音響駆動回路６１０を介して第１音響発生装置５００に出力する。第１音響発生装置５００は、第１音響信号に応じて第１音響を出力する。第３音響発生装置９４０は、第３音響データによって生成された第３音響信号またはメインプロセッサ９２０からの第３音響信号に応じて第３音響を出力する。
【０１１２】
または、メインプロセッサ９２０は、第２音響発生装置９３０と第３音響発生装置９４０とで第２音響と第３音響とを生成するように制御することで、ユーザに２チャンネルの立体音響を提供する。具体的に、メインプロセッサ９２０は、第２音響データまたは第２音響信号を第２音響発生装置９３０に出力し、第３音響データまたは第３音響信号を第３音響発生装置９４０に出力する。第２音響発生装置９３０は、第２音響データによって生成された第２音響信号またはメインプロセッサ９２０からの第２音響信号に応じて第２音響を出力する。第３音響発生装置９４０は、第３音響データによって生成された第３音響信号またはメインプロセッサ９２０からの第３音響信号に応じて第３音響を出力する。
【０１１３】
または、メインプロセッサ９２０は、第１音響発生装置５００、第２音響発生装置９３０、及び第３音響発生装置９４０で第１音響、第２音響、及び第３音響を生成するように制御することで、ユーザに２．１チャンネルの立体音響を提供する。この場合、第３音響発生装置９４０は、低音を出力するウーファーの役割を果たす。具体的に、メインプロセッサ９２０は、第１音響データをメイン回路ボード９１０、表示回路ボード３１０、及び音響回路ボード６００を介して音響駆動回路６１０に出力し、第２音響データを第２音響発生装置９３０に出力し、第３音響データを第３音響発生装置９４０に出力する。音響駆動回路６１０は、第１音響データに応じて第１音響信号を生成し、音響駆動回路６１０を介して第１音響発生装置５００に出力する。第１音響発生装置５００は、第１音響信号に応じて第１音響を出力する。第２音響発生装置９３０は、第２音響データに応じて第２音響信号を生成することで、第２音響を出力する。第３音響発生装置９４０は、第３音響データによって生成された第３音響信号またはメインプロセッサ９２０からの第３音響信号に応じて第３音響を出力する。
【０１１４】
特に、図１１に示すＣ１曲線及び図１２に示すＣ２曲線のように、第１音響発生装置５００のＦ０（ｆｕｎｄａｍｅｎｔａｌ  ０（ｚｅｒｏ））を第２音響発生装置９３０のＦ０（または第３音響発生装置９４０のＦ０）とは異なるように制御すると、図１３に示すＣ３曲線のようにユーザに提供される音響の周波数帯域が拡張されるので、より豊かな音響を提供することができる。図１１〜図１３において、ｘ軸は共振周波数を示し、ｙ軸は音圧レベル（ｓｏｕｎｄ  ｐｒｅｓｓｕｒｅ  ｌｅｖｅｌ、ＳＰＬ）を示し、Ｆ０は音響発生装置の振動膜変位が基準変位以上に大きくなる最小周波数を示す。
【０１１５】
具体的に、第２音響発生装置９３０及び第３音響発生装置９４０は、図１１に示すようにＦ０が８００Ｈｚ以下の第２音響と第３音響とを出力する。これに対し、第１音響発生装置５００は、図１２に示すようにＦ０が１ｋＨｚ以上である第１音響を出力する。この場合、第２音響及び第３音響のそれぞれは、第１音響に対して低周波数帯域ＬＦＲで音圧レベルが高いのに対し、第１音響は、第２音響または第３音響に対して高周波数帯域ＨＦＲで音圧レベルが高い。したがって、第２音響発生装置９３０及び第３音響発生装置９４０のうちの少なくともいずれか一つと第１音響発生装置５００とを用いてユーザに音響を提供すると、図１３に示すように低周波数帯域ＬＦＲと高周波数帯域ＨＦＲとのすべてにおいて音圧レベルを高めることができる。すなわち、第１実施形態による表示装置１０によれば、ユーザに提供される音響の周波数帯域が拡張されるので、より豊かな音響を提供することができる。
【０１１６】
第六に、メインプロセッサ９２０は、モノ音響モードで動作中である場合、第１〜第３音響発生装置（５００、９３０、９４０）のうちのいずれか一つで音響を生成して出力するように制御する（ステップＳ１０６）。
【０１１７】
例えば、メインプロセッサ９２０は、第１音響発生装置５００で第１音響のみを生成するように制御する。具体的に、メインプロセッサ９２０は、第１音響データをメイン回路ボード９１０、表示回路ボード３１０、及び音響回路ボード６００を介して音響駆動回路６１０に出力する。音響駆動回路６１０は、第１音響データに応じて第１音響信号を生成し、音響駆動回路６１０を介して第１音響発生装置５００に出力する。第１音響発生装置５００は、第１音響信号に応じて第１音響を出力する。
【０１１８】
または、メインプロセッサ９２０は、第２音響発生装置９３０で第２音響のみを生成するように制御する。具体的に、メインプロセッサ９２０は、第２音響データまたは第２音響信号を第２音響発生装置９３０に出力する。第２音響発生装置９３０は、第２音響データによって生成された第２音響信号またはメインプロセッサ９２０からの第２音響信号に応じて第２音響を出力する。
【０１１９】
または、メインプロセッサ９２０は、第３音響発生装置９４０で第３音響のみを生成するように制御する。メインプロセッサ９２０は、第３音響データまたは第３音響信号を第３音響発生装置９４０に出力する。第３音響発生装置９４０は、第３音響データによって生成された第３音響信号またはメインプロセッサ９２０からの第３音響信号に応じて第３音響を出力する。
【０１２０】
本発明の第１実施形態による表示装置１０によれば、音響出力モードのうちのモノ音響モードにおいて、第１〜第３音響発生装置（５００、９３０、９４０）のうちのいずれか一つを用いて音響が出力されるので、ステレオ音響モードに比べて消費電力を減らすことができる。
【０１２１】
図１４及び図１５は、本発明の第２実施形態による表示装置を示す斜視図及び分解斜視図である。
【０１２２】
図１４及び図１５に示す本発明の第２実施形態は、第２音響発生装置５０１が表示パネル３００の下面に付着された振動発生装置として具現され、第３音響発生装置９７０がメイン回路ボード９１０に実装された振動発生装置として具現される点で、図１及び図２に示す第１実施形態とは相違する。図１４及び図１５では、図１及び図２に示す第１実施形態と重複する説明は省略する。
【０１２３】
図１４及び図１５を参照すると、第２音響発生装置５０１は、パネル下部部材４００の下面に配置される。第２音響発生装置５０１は、表示パネル３００の中央を基準に第１音響発生装置５００と対称に配置される。例えば、第１音響発生装置５００が表示パネル３００の一側、例えば、図１４及び図１５に示すように上側に配置される場合、第２音響発生装置５０１は、表示パネル３００の他側、例えば図１４及び図１５に示すように下側に配置される。
【０１２４】
第２音響発生装置５０１は、音響回路ボード６００に接続される。具体的に、図１６に示すように音響回路ボード６００は、異方性導電フィルムを用いて第２音響発生装置５０１の第１及び第２パッド（５５０、５６０）上に付着される。
【０１２５】
音響駆動回路６１０は、メイン回路ボード９１０のメインプロセッサ９２０から提供される第２音響データに応じて第２音響信号を生成する。この場合、メインプロセッサ９２０の第２音響データは、メイン回路ボード９１０、表示回路ボード３１０、及び音響回路ボード６００を経由して音響駆動回路６１０に提供され、音響駆動回路６１０の第２音響信号は、音響回路ボード６００を介して第２音響発生装置５０１に伝送される。第２音響発生装置５０１は、第２音響信号に応じて第２音響を発生する。
【０１２６】
なお、第２音響発生装置５０１は、図１及び図２を参照して説明した第１音響発生装置５００と実質的に同様に具現されるので、第２音響発生装置５０１に対する詳しい説明は省略する。
【０１２７】
図１４〜図１６に示す第２実施形態によれば、第１音響発生装置５００と第２音響発生装置５０１とを表示パネル３００の下部に配置されたパネル下部部材４００に付着させて音響駆動回路６１０が搭載された音響回路ボード６００に接続し、音響駆動回路６１０が表示回路ボード３１０に接続されることで、第１音響発生装置５００、第２音響発生装置５０１、及び音響回路ボード６００が表示パネル３００と一つにモジュール化される。
【０１２８】
第３音響発生装置９７０は、メイン回路ボード９１０に実装される。第３音響発生装置９７０は、偏心モーター（ｅｃｃｅｎｔｒｉｃ  ｒｏｔａｔｉｎｇ  ｍａｓｓ、ＥＲＭ）、リニア共振アクチュエータ（ｌｉｎｅａｒ  ｒｅｓｏｎａｎｔ  ａｃｔｕａｔｏｒ、ＬＲＡ）、またはピエゾアクチュエータ（ｐｉｅｚｏ  ａｃｔｕａｔｏｒ）のような振動発生装置である。
【０１２９】
第３音響発生装置９７０は、メインプロセッサ９２０からの第３音響データを処理するデジタル信号処理部、第３音響データをアナログ信号である第３音響信号に変換するデジタルアナログコンバータ、第３音響信号を増幅して出力する増幅器、及び第３音響信号に応じて振動を発生する振動発生部を備える。または、第３音響発生装置９７０は、メインプロセッサ９２０または別途の音響駆動回路から第３音響信号の入力を直接受ける場合、振動発生部のみを含む。第３音響発生装置９７０は、第３音響信号に応じて振動することで、第３音響を出力する。
【０１３０】
また、第３音響発生装置９７０は、第３音響を出力するだけでなく、表示装置１０を用いるユーザが多様な触覚を感じるように多様な振動を発生させる。この場合、触覚信号が第３音響信号に含まれる。
【０１３１】
図１４及び図１５に示す第２実施形態によれば、第１音響発生装置５００及び第２音響発生装置５０１を振動発生装置として具現して表示パネル３００の下面に付着させ、第３音響発生装置９７０を振動発生装置として具現してメイン回路ボード９１０に実装するので、表示装置１０は外から見えない音響発生装置によって音響を出力する。これにより、表示装置１０の前面に配置される音響発生装置を除去できるので、カバーウィンドウ１００の透過部ＤＡ１００が広くなる。また、表示装置１０の下部カバー９００の側面に形成されたスピーカー溝を除去できるので、表示装置１０の防水及び防塵に有利である。
【０１３２】
図１７は、本発明の第２実施形態による表示装置の駆動方法の一例を示すフローチャートである。
【０１３３】
以下では、図１７を参照して本発明の第２実施形態による第１〜第３音響発生装置（５００、５０１、９７０）を備える表示装置１０の音響出力方法の一例について詳しく説明する。
【０１３４】
図１７を参照すると、第一に、メインプロセッサ９２０は、表示装置１０が通話モードで動作中であるか否かを判断する（ステップＳ２０１）。
第二に、メインプロセッサ９２０は、表示装置１０が通話モードで動作中である場合、第１音響発生装置５００を用いて第１音響を生成するか、または第２音響発生装置５０１を用いて第２音響を生成する（ステップＳ２０２）ことで、移動通信モジュールを介して受信した相手の音声を出力するように制御する。
【０１３５】
具体的に、メインプロセッサ９２０は、移動通信モジュールを介して受信した相手の音声に対応する第１音響データをメイン回路ボード９１０、表示回路ボード３１０、及び音響回路ボード６００を介して音響駆動回路６１０に出力する。音響駆動回路６１０は、第１音響データに応じて第１音響信号を生成し、音響駆動回路６１０を介して第１音響発生装置５００に出力する。したがって、第１音響発生装置５００は、第１音響信号に応じて第１音響を出力する。
【０１３６】
または、メインプロセッサ９２０は、移動通信モジュールを介して受信した相手の音声に対応する第２音響データをメイン回路ボード９１０、表示回路ボード３１０、及び音響回路ボード６００を介して音響駆動回路６１０に出力する。音響駆動回路６１０は、第２音響データに応じて第２音響信号を生成し、音響駆動回路６１０を介して第２音響発生装置５０１に出力する。したがって、第２音響発生装置５０１は、第２音響信号に応じて第２音響を出力する。
【０１３７】
すなわち、表示装置１０は、通話モードにおいて外から見えない第１音響発生装置５００または第２音響発生装置５０１によって相手の音声を出力する。したがって、表示装置１０の前面に配置される音響発生装置が除去できるので、カバーウィンドウ１００の透過部ＤＡ１００が広くなる。
【０１３８】
第三に、メインプロセッサ９２０は、表示装置１０が音響出力モードで動作中であるか否かを判断する（ステップＳ２０３）。
【０１３９】
第四に、メインプロセッサ９２０は、表示装置１０が音響出力モードで動作中である場合、ステレオ音響モードとモノ音響モードとのうちのいずれのモードであるかを判断する（ステップＳ２０４）。
【０１４０】
第五に、メインプロセッサ９２０は、ステレオ音響モードで動作中である場合、第１及び第２音響発生装置（５００、５０１）または第１〜第３音響発生装置（５００、５０１、９７０）で音響を生成して出力するように制御する（ステップＳ２０５）。
【０１４１】
例えば、メインプロセッサ９２０は、第１音響発生装置５００と第２音響発生装置９３０とによって第１音響と第２音響とを生成するように制御することで、ユーザに２チャンネルの立体音響を提供する。具体的に、メインプロセッサ９２０は、第１音響データと第２音響データとをメイン回路ボード９１０、表示回路ボード３１０、及び音響回路ボード６００を介して音響駆動回路６１０に出力する。音響駆動回路６１０は、第１音響データに応じて第１音響信号を生成し、第２音響データに応じて第２音響信号を生成し、音響駆動回路６１０を介して第１音響信号を第１音響発生装置５００に出力し、第２音響信号を第２音響発生装置５０１に出力する。第１音響発生装置５００は、第１音響信号に応じて第１音響を出力する。第２音響発生装置５０１は、第２音響信号に応じて第２音響を出力する。
【０１４２】
または、メインプロセッサ９２０は、第１音響発生装置５００、第２音響発生装置５０１、及び第３音響発生装置９７０によって第１音響、第２音響、及び第３音響を生成するように制御するので、２．１チャンネルの立体音響がユーザに提供される。この場合、第３音響発生装置９７０は、低音を出力するウーファーとしての役割を果たす。具体的に、メインプロセッサ９２０は、第１音響データと第２音響データとをメイン回路ボード９１０、表示回路ボード３１０、及び音響回路ボード６００を介して音響駆動回路６１０に出力し、第３音響データまたは第３音響信号を第３音響発生装置９７０に出力する。音響駆動回路６１０は、第１音響データに応じて第１音響信号を生成し、第２音響データに応じて第２音響信号を生成し、音響駆動回路６１０を介して第１音響信号を第１音響発生装置５００に出力し、第２音響信号を第２音響発生装置５０１に出力する。第１音響発生装置５００は、第１音響信号に応じて第１音響を出力する。第２音響発生装置５０１は、第２音響信号に応じて第２音響を出力する。第３音響発生装置９４０は、第３音響データによって生成された第３音響信号またはメインプロセッサ９２０からの第３音響信号に応じて第３音響を出力する。
【０１４３】
特に、図１８に示すＣ４曲線及び図１９に示すＣ５曲線のように第１音響発生装置５００のＦ０及び第２音響発生装置５０１のＦ０を第３音響発生装置９７０のＦ０と異なるように制御すると、図２０に示すＣ６曲線のようにユーザに提供される音響の周波数帯域が拡張されるので、より豊かな音響を提供することができる。図１８〜図２０において、ｘ軸は共振周波数を示し、ｙ軸は音圧レベル（ｓｏｕｎｄ  ｐｒｅｓｓｕｒｅ  ｌｅｖｅｌ、ＳＰＬ）を示し、Ｆ０は音響発生装置の振動膜変位が基準変位以上に大きくなる最小周波数を示す。
【０１４４】
具体的に、第３音響発生装置９７０は、図１８に示すようにＦ０が３００Ｈｚ以下の第３音響を出力する。これに対し、第１音響発生装置５００及び第２音響発生装置５０１は、図１９に示すようにＦ０が１ｋＨｚ以上である第１音響と第２音響とを出力する。この場合、第３音響は、第１音響及び第２音響に対して低周波数帯域ＬＦＲで音圧レベル（ｓｏｕｎｄ  ｐｒｅｓｓｕｒｅ  ｌｅｖｅｌ、ＳＰＬ）が高いのに対し、第１音響及び第２音響は、第３音響に対して高周波数帯域ＨＦＲで音圧レベルが高い。したがって、第１音響発生装置５００、第２音響発生装置５０１、及び第３音響発生装置９７０を用いてユーザに音響を提供すると、図２０に示すように低周波数帯域ＬＦＲと高周波数帯域ＨＦＲとのすべてにおいて音圧レベルを高めることができる。すなわち、本発明の第２実施形態による表示装置１０によれば、ユーザに提供される音響の周波数帯域が拡張されるので、より豊かな音響を提供することができる。
【０１４５】
一方、第１及び第２音響発生装置（５００、５０１）のうちのいずれか一つと第３音響発生装置９７０とを用いて２チャンネルの立体音響を提供し得る。しかし、第３音響発生装置９７０は、Ｆ０が３００Ｈｚよりも低いため、第３音響発生装置９７０によって発生した第３音響は、ウーファーのような低音出力に適する。したがって、第３音響発生装置９７０を用いる場合、２チャンネルよりも２．１チャンネルの立体音響をユーザに提供することが好ましい。
【０１４６】
第六に、メインプロセッサ９２０は、モノ音響モードで動作中である場合、第１及び第２音響発生装置（５００、５０１）のうちのいずれか一つで音響を生成して出力するように制御する（ステップＳ２０６）。
【０１４７】
例えば、メインプロセッサ９２０は、第１音響発生装置５００で第１音響のみを生成するように制御する。具体的に、メインプロセッサ９２０は、第１音響データをメイン回路ボード９１０、表示回路ボード３１０、及び音響回路ボード６００を介して音響駆動回路６１０に出力する。音響駆動回路６１０は、第１音響データに応じて第１音響信号を生成し、音響駆動回路６１０を介して第１音響発生装置５００に出力する。第１音響発生装置５００は、第１音響信号に応じて第１音響を出力する。
【０１４８】
または、メインプロセッサ９２０は、第２音響発生装置５０１で第２音響のみを生成するように制御する。具体的に、メインプロセッサ９２０は、第２音響データをメイン回路ボード９１０、表示回路ボード３１０、及び音響回路ボード６００を介して音響駆動回路６１０に出力する。音響駆動回路６１０は、第２音響データに応じて第２音響信号を生成し、音響駆動回路６１０を介して第２音響発生装置５０１に出力する。第２音響発生装置５０１は、第２音響信号に応じて第２音響を出力する。
【０１４９】
一方、第３音響発生装置９７０を用いてモノ音響モードを具現し得る。しかし、第３音響発生装置９７０は、Ｆ０が３００Ｈｚよりも低いため、第３音響発生装置９７０によって発生した第３音響はウーファーのような低音出力に適する。したがって、第３音響発生装置９７０を用いる場合、モノ音響モードよりもステレオ音響モードの２．１チャンネルの立体音響をユーザに提供することが好ましい。
【０１５０】
本発明の第２実施形態による表示装置１０によれば、音響出力モードのうちのモノ音響モードにおいて、第１及び第２音響発生装置（５００、５０１）のうちのいずれか一つを用いて音響が出力されるので、ステレオ音響モードに比べて消費電力を減らすことができる。
【０１５１】
図２１は、本発明の第２実施形態による表示装置の駆動方法の他の例を示すフローチャートである。
【０１５２】
以下では、図２１を参照しながら本発明の第２実施形態による第１〜第３音響発生装置（５００、５０１、９７０）を備える表示装置１０の音響出力方法の他の例について詳しく説明する。
【０１５３】
図２１を参照すると、第一に、メインプロセッサ９２０は、表示装置１０が通話モードで動作中であるか否かを判断する（ステップＳ３０１）。
【０１５４】
第二に、メインプロセッサ９２０は、表示装置１０が通話モードで動作中である場合、第１音響発生装置５００が第２音響発生装置５０１よりも高い側に位置しているか否かを判断する（ステップＳ３０２）。
【０１５５】
図１５に示すようにメイン回路ボード９１０にはジャイロセンサ９８０が実装され、メインプロセッサ９２０は、ジャイロセンサ９８０によって表示装置１０の傾きの程度を判断する。したがって、メインプロセッサ９２０は、第１音響発生装置５００及び第２音響発生装置５０１のうちのいずれが（地面から）高い側に位置しているかを判断する。
【０１５６】
第三に、図２２に示すように第１音響発生装置５００が第２音響発生装置５０１よりも高い側に位置する場合、ユーザの耳が第２音響発生装置５０１よりも第１音響発生装置５００の近くに配置されることが一般的である。したがって、図２２に示すようにメインプロセッサ９２０は、第１音響発生装置５００が第２音響発生装置５０１よりも高い側に位置すると判断すると、第１音響発生装置５００で第１音響を生成する（ステップＳ３０３）ことで、移動通信モジュールを介して受信した相手の音声を出力するように制御する。
【０１５７】
具体的に、メインプロセッサ９２０は、移動通信モジュールを介して受信した相手の音声に対応する第１音響データをメイン回路ボード９１０、表示回路ボード３１０、及び音響回路ボード６００を介して音響駆動回路６１０に出力する。音響駆動回路６１０は、第１音響データに応じて第１音響信号を生成し、音響駆動回路６１０を介して第１音響発生装置５００に出力する。したがって、第１音響発生装置５００は、第１音響信号に応じて第１音響を出力する。
【０１５８】
第四に、図２３に示すように第２音響発生装置５０１が第１音響発生装置５００よりも高い側に位置する場合、ユーザの耳が第１音響発生装置５００よりも第２音響発生装置５０１の近くに配置されることが一般的である。したがって、図２３に示すようにメインプロセッサ９２０は、第２音響発生装置５０１が第１音響発生装置５００よりも高い側に位置すると判断すると、第２音響発生装置５０１で第２音響を生成する（ステップＳ３０４）ことで、移動通信モジュールを介して受信した相手の音声を出力するように制御する。
【０１５９】
具体的に、メインプロセッサ９２０は、移動通信モジュールを介して受信した相手の音声に対応する第２音響データをメイン回路ボード９１０、表示回路ボード３１０、及び音響回路ボード６００を介して音響駆動回路６１０に出力する。音響駆動回路６１０は、第２音響データに応じて第２音響信号を生成し、音響駆動回路６１０を介して第２音響発生装置５０１に出力する。したがって、第２音響発生装置５０１は、第２音響信号に応じて第２音響を出力する。
【０１６０】
図２１に示す実施形態によれば、ジャイロセンサ９８０によって表示装置１０の傾きの程度に応じて第１音響発生装置５００及び第２音響発生装置５０１のうちのいずれが高い側に位置しているかを判断するので、第１音響発生装置５００及び第２音響発生装置５０１のうちのユーザの耳に近いと判断される音響発生装置を用いて音響を出力する。これにより、ユーザは、表示装置１０の傾きの程度に拘らず最適の位置で音響の提供を受ける。
【０１６１】
図２１に示すステップ（Ｓ３０５〜Ｓ３０８）は、図１７を参照して説明したステップ（Ｓ２０３〜Ｓ２０６）と実質的に同一である。したがって、図２１に示すステップ（Ｓ３０５〜Ｓ３０８）に対する詳しい説明は省略する。
【０１６２】
図２４は、本発明の第３実施形態による表示装置を示す斜視図である。図２５及び図２６は、図２４に示す表示装置の分解斜視図である。
【０１６３】
図２４〜図２６に示す本発明の第３実施形態は、第２音響発生装置５０１が表示パネル３００の下面に付着される振動発生装置として具現され、第３音響発生装置（９３０’／９４０’）がメイン回路ボード９１０に実装されるスピーカーとして具現される点で、図１及び図２に示す第１実施形態とは相違する。図２４〜図２６では、図１及び図２に示す実施形態と重複する説明は省略する。
【０１６４】
図２４〜図２６を参照すると、第２音響発生装置５０１は、パネル下部部材４００の下面に配置される。第２音響発生装置５０１は、表示パネル３００の中央を基準に第１音響発生装置５００と対称に配置される。例えば、第１音響発生装置５００が表示パネル３００の一側、例えば、図２４〜図２６に示すように上側に配置される場合、第２音響発生装置５０１は、表示パネル３００の他側、例えば、図２４〜図２６に示すように下側に配置される。
【０１６５】
第２音響発生装置５０１は、音響回路ボード６００に接続される。具体的に、図１６に示すように音響回路ボード６００は、異方性導電フィルムを用いて第２音響発生装置５０１の第１及び第２パッド（５５０、５６０）上に付着される。
【０１６６】
音響駆動回路６１０は、メイン回路ボード９１０のメインプロセッサ９２０から提供される第２音響データに応じて第２音響信号を生成する。この場合、メインプロセッサ９２０から提供された第２音響データは、メイン回路ボード９１０、表示回路ボード３１０、及び音響回路ボード６００を経由して音響駆動回路６１０に提供され、音響駆動回路６１０で生成された第２音響信号は、音響回路ボード６００を介して第２音響発生装置５０１に伝送される。第２音響発生装置５０１は、第２音響信号に応じて第２音響を発生する。
【０１６７】
なお、第２音響発生装置５０１は、図１及び図２を参照して説明した第１音響発生装置５００と実質的に同様に具現されるので、第２音響発生装置５０１に対する詳しい説明は省略する。
【０１６８】
図２４〜図２６に示す本発明の第３実施形態によれば、第１音響発生装置５００と第２音響発生装置５０１とを表示パネル３００の下部に配置されたパネル下部部材４００に付着させて音響駆動回路６１０が搭載された音響回路ボード６００に接続し、音響駆動回路６１０が表示回路ボード３１０に接続されることで、第１音響発生装置５００、第２音響発生装置５０１、及び音響回路ボード６００が表示パネル３００と一つにモジュール化される。
【０１６９】
第３音響発生装置（９３０’／９４０’）は、メイン回路ボード９１０上に実装されるスピーカー（ｓｐｅａｋｅｒ）である。具体的に、第３音響発生装置（９３０’／９４０’）は、メインプロセッサ９２０からの第３音響データを処理するデジタル信号処理部、第３音響データをアナログ信号である第３音響信号に変換するデジタルアナログコンバータ、第３音響信号を増幅して出力する増幅器、及び第３音響信号に応じて第３音響を出力する音響出力部を備える。または、第３音響発生装置（９３０’／９４０’）は、メインプロセッサ９２０から第３音響信号の入力を直接受ける。この場合、第３音響発生装置（９３０’／９４０’）は、音響出力部のみを含む。
【０１７０】
第３音響発生装置９３０’は、図２５に示すようにメイン回路ボード９１０の下側に配置される。この場合、第３音響発生装置９３０’は、下部カバー９００の下側に配置されたスピーカー溝（ＳＨ１、ＳＨ２）を介して表示装置１０の一側で第２音響を提供する。または、第３音響発生装置９４０’は、図２６に示すようにメイン回路ボード９１０の上側に配置される。この場合、第３音響発生装置９４０’は、下部カバー９００の上側に配置されたスピーカー溝を介して表示装置１０の一側で第２音響を提供する。
【０１７１】
第３音響発生装置９３０’は、図２５に示すように充電端子９５０を間に置いて充電端子９５０の一側の外側に配置された第２−１音響発生装置９３１’と充電端子９５０の他側の外側に配置された第２−２音響発生装置９３２’とを備えるが、これに限定されない。例えば、第３音響発生装置９３０’は、充電端子９５０の一側及び他側のうちのいずれか一側にのみ配置される。または、充電端子９５０は、第２−１音響発生装置９３１’が配置された位置及び第２−２音響発生装置９３２’が配置された位置のうちのいずれか一つの位置に配置され、第３音響発生装置９３０’は充電端子９５０が配置されない残りの位置に配置される。
【０１７２】
図２７は、本発明の第３実施形態による表示装置の駆動方法を示すフローチャートである。
【０１７３】
以下では、図２７を参照して本発明の第３実施形態による第１〜第３音響発生装置（５００、５０１、９３０’／９４０’）を備える表示装置１０の音響出力方法について詳しく説明する。
【０１７４】
図２７に示すステップＳ４０１及びステップＳ４０２は、図１７を参照して説明したステップＳ２０１及びステップＳ２０２と実質的に同一である。また、図２７に示すステップＳ４０１及びステップＳ４０２は図２１を参照して説明したステップＳ３０１〜ステップＳ３０４段階に置換される。したがって、図２７に示すステップＳ４０１及びステップＳ４０２に対する詳しい説明は省略する。
【０１７５】
第三に、メインプロセッサ９２０は、表示装置１０が音響出力モードで動作中であるか否かを判断する（ステップＳ４０３）。
【０１７６】
第四に、メインプロセッサ９２０は、表示装置１０が音響出力モードで動作中である場合、ステレオ音響モードとモノ音響モードとのうちのいずれのモードであるかを判断する（ステップＳ４０４）。
【０１７７】
第五に、メインプロセッサ９２０は、ステレオ音響モードで動作中である場合、第１〜第３音響発生装置（５００、５０１、９３０’／９４０’）のうちの少なくとも二つを用いて音響を生成して出力するように制御する（ステップＳ４０５）。
【０１７８】
例えば、メインプロセッサ９２０は、第１音響発生装置５００と第２音響発生装置９３０とで第１音響と第２音響とを生成するように制御することで、ユーザに２チャンネルの立体音響を提供する。具体的に、メインプロセッサ９２０は、第１音響データと第２音響データとをメイン回路ボード９１０、表示回路ボード３１０、及び音響回路ボード６００を介して音響駆動回路６１０に出力する。音響駆動回路６１０は、第１音響データに応じて第１音響信号を生成し、第２音響データに応じて第２音響信号を生成し、音響駆動回路６１０を介して第１音響信号を第１音響発生装置５００に出力し、第２音響信号を第２音響発生装置５０１に出力する。第１音響発生装置５００は、第１音響信号に応じて第１音響を出力する。第２音響発生装置５０１は、第２音響信号に応じて第２音響を出力する。
【０１７９】
または、メインプロセッサ９２０は、第１音響発生装置５００と第３音響発生装置（９３０’／９４０’）とで第１音響と第３音響とを生成するように制御することで、ユーザに２チャンネルの立体音響を提供する。具体的に、メインプロセッサ９２０は、第１音響データをメイン回路ボード９１０、表示回路ボード３１０、及び音響回路ボード６００を介して音響駆動回路６１０に出力し、第３音響データまたは第３音響信号を第３音響発生装置（９３０’／９４０’）に出力する。音響駆動回路６１０は、第１音響データに応じて第１音響信号を生成し、音響駆動回路６１０を介して第１音響発生装置５００に出力する。第１音響発生装置５００は、第１音響信号に応じて第１音響を出力する。第３音響発生装置（９３０’／９４０’）は、第３音響データによって生成された第３音響信号またはメインプロセッサ９２０からの第３音響信号に応じて第３音響を出力する。
【０１８０】
または、メインプロセッサ９２０は、第２音響発生装置５０１と第３音響発生装置（９３０’／９４０’）とで第２音響と第３音響とを生成するように制御することで、ユーザに２チャンネルの立体音響を提供する。具体的に、メインプロセッサ９２０は、第２音響データをメイン回路ボード９１０、表示回路ボード３１０、及び音響回路ボード６００を介して音響駆動回路６１０に出力し、第３音響データまたは第３音響信号を第３音響発生装置（９３０’／９４０’）に出力する。音響駆動回路６１０は、第２音響データに応じて第２音響信号を生成し、音響駆動回路６１０を介して第２音響発生装置５０１に出力する。第２音響発生装置５０１は、第２音響信号に応じて第２音響を出力する。第３音響発生装置（９３０’／９４０’）は、第３音響データによって生成された第３音響信号またはメインプロセッサ９２０からの第３音響信号に応じて第３音響を出力する。
【０１８１】
または、メインプロセッサ９２０は、第１音響発生装置５００、第２音響発生装置５０１、及び第３音響発生装置（９３０’／９４０’）で第１音響、第２音響、及び第３音響を生成するように制御するので、２．１チャンネルの立体音響がユーザに提供される。この場合、第３音響発生装置（９３０’／９４０’）は、低音を出力するウーファーとしての役割を果たす。具体的に、メインプロセッサ９２０は、第１音響データと第２音響データとをメイン回路ボード９１０、表示回路ボード３１０、及び音響回路ボード６００を介して音響駆動回路６１０に出力し、第３音響データまたは第３音響信号を第３音響発生装置（９３０’／９４０’）に出力する。音響駆動回路６１０は第１音響データに応じて第１音響信号を生成し、第２音響データに応じて第２音響信号を生成し、音響駆動回路６１０を介して第１音響信号を第１音響発生装置５００に出力し、第２音響信号を第２音響発生装置５０１に出力する。第１音響発生装置５００は、第１音響信号に応じて第１音響を出力する。第２音響発生装置５０１は、第２音響信号に応じて第２音響を出力する。第３音響発生装置（９３０’／９４０’）は、第３音響データによって生成された第３音響信号またはメインプロセッサ９２０からの第３音響信号に応じて第３音響を出力する。
【０１８２】
特に、図１１に示すＣ１曲線及び図１２に示すＣ２曲線のように第１音響発生装置５００のＦ０または第２音響発生装置５０１のＦ０を第３音響発生装置（９３０’／９４０’）のＦ０と異なるように制御すると、図１３に示すＣ３曲線のようにユーザに提供される音響の周波数帯域が拡張されるので、より豊かな音響を提供することができる。図１１〜図１３において、ｘ軸は共振周波数を示し、ｙ軸は音圧レベル（ｓｏｕｎｄ  ｐｒｅｓｓｕｒｅ  ｌｅｖｅｌ、ＳＰＬ）を示し、Ｆ０は音響発生装置の振動膜変位が基準変位以上に大きくなる最小周波数を示す。
【０１８３】
具体的に、第３音響発生装置（９３０’／９４０’）は、図１１に示すようにＦ０が８００Ｈｚ以下の第３音響を出力する。これに対し、第１音響発生装置５００及び第２音響発生装置５０１は、図１２に示すようにＦ０が１ｋＨｚ以上である第１音響と第２音響とを出力する。この場合、第３音響は、第１音響及び第２音響に対して低周波数帯域ＬＦＲで音圧レベル（ｓｏｕｎｄ  ｐｒｅｓｓｕｒｅ  ｌｅｖｅｌ、ＳＰＬ）が高いのに対し、第１音響及び第２音響は、第３音響に対して高周波数帯域ＨＦＲで音圧レベルが高い。したがって、第１音響発生装置５００、第２音響発生装置５０１、及び第３音響発生装置９７０を用いてユーザに音響を提供すると、図１３に示すように低周波数帯域ＬＦＲ及び高周波数帯域ＨＦＲのすべてにおいて音圧レベルを高めることができる。すなわち、本実施形態による表示装置１０によれば、ユーザに提供される音響の周波数帯域を拡張できるので、より豊かな音響を提供することができる。
【０１８４】
第六に、メインプロセッサ９２０は、モノ音響モードで動作中である場合、第１〜第３音響発生装置（５００、５０１、９３０’／９４０’）のうちのいずれか一つで音響を生成して出力するように制御する（ステップＳ４０６）。
【０１８５】
例えば、メインプロセッサ９２０は、第１音響発生装置５００で第１音響のみを生成するように制御する。具体的に、メインプロセッサ９２０は、第１音響データをメイン回路ボード９１０、表示回路ボード３１０、及び音響回路ボード６００を介して音響駆動回路６１０に出力する。音響駆動回路６１０は、第１音響データに応じて第１音響信号を生成し、音響駆動回路６１０を介して第１音響発生装置５００に出力する。第１音響発生装置５００は、第１音響信号に応じて第１音響を出力する。
【０１８６】
または、メインプロセッサ９２０は、第２音響発生装置５０１で第２音響のみを生成するように制御する。具体的に、メインプロセッサ９２０は、第２音響データをメイン回路ボード９１０、表示回路ボード３１０、及び音響回路ボード６００を介して音響駆動回路６１０に出力する。音響駆動回路６１０は、第２音響データに応じて第２音響信号を生成し、音響駆動回路６１０を介して第２音響発生装置５０１に出力する。第２音響発生装置５０１は、第２音響信号に応じて第２音響を出力する。
【０１８７】
または、メインプロセッサ９２０は、第３音響発生装置（９３０’／９４０’）で第３音響のみを生成するように制御する。メインプロセッサ９２０は、第３音響データまたは第３音響信号を第３音響発生装置９４０に出力する。第３音響発生装置（９３０’／９４０’）は、第３音響データに応じて生成された第３音響信号またはメインプロセッサ９２０からの第３音響信号に応じて第３音響を出力する。
【０１８８】
本発明の第３実施形態による表示装置１０によれば、音響出力モードのうちのモノ音響モードにおいて第１〜第３音響発生装置（５００、５０１、９３０’／９４０’）のうちのいずれか一つを用いて音響を出力するので、ステレオ音響モードに比べて消費電力を減らすことができる。
【０１８９】
図２８は、本発明の第４実施形態による表示装置を示す斜視図である。図２９及び図３０は、図２８に示す表示装置の分解斜視図である。
【０１９０】
図２８〜図３０に示す実施形態は、第４音響発生装置９７０’がメイン回路ボード９１０に実装される振動発生装置として具現された点で、図２４〜図２６に示す第３実施形態とは相違する。図２８〜図３０では図２４〜図２６に示す実施形態と重複した説明は省略する。
【０１９１】
図２８〜図３０を参照すると、第４音響発生装置９７０’は、メイン回路ボード９１０に実装される。第４音響発生装置９７０’は、偏心モーター（ｅｃｃｅｎｔｒｉｃ  ｒｏｔａｔｉｎｇ  ｍａｓｓ、ＥＲＭ）、リニア共振アクチュエータ（ｌｉｎｅａｒ  ｒｅｓｏｎａｎｔ  ａｃｔｕａｔｏｒ、ＬＲＡ）、またはピエゾアクチュエータ（ｐｉｅｚｏ  ａｃｔｕａｔｏｒ）のような振動発生装置である。
【０１９２】
第４音響発生装置９７０’は、メインプロセッサ９２０からの第４音響データを処理するデジタル信号処理部、第４音響データをアナログ信号である第４音響信号に変換するデジタルアナログコンバータ、第４音響信号を増幅して出力する増幅器、及び第４音響信号に応じて振動を発生する振動発生部を備える。または、第４音響発生装置９７０’は、メインプロセッサ９２０から第４音響信号の入力を直接受ける場合、振動発生部のみを含む。第４音響発生装置９７０’は、第４音響信号に応じて振動することで第４音響を出力する。
【０１９３】
また、第４音響発生装置９７０’は、第４音響を出力するだけでなく、表示装置１０を用いるユーザが多様な触覚を感じるように多様な振動を発生させる。
【０１９４】
図３１は、本発明の第４実施形態による表示装置の駆動方法を示すフローチャートである。
【０１９５】
以下では、図３１を参照して本発明の第４実施形態による第１〜第４音響発生装置（５００、５０１、９３０’／９４０’、９７０’）を備える表示装置１０の音響出力方法について詳しく説明する。
【０１９６】
図３１に示すステップＳ５０１及びステップＳ５０２は、図１７を参照して説明したステップＳ２０１及びステップＳ２０２と実質的に同一である。また、図３１に示すステップＳ５０１及びステップＳ５０２は、図２１を参照して説明したステップＳ３０１〜ステップＳ３０４に置換される。したがって、図３１に示すステップＳ５０１及びステップＳ５０２に対する詳しい説明は省略する。
【０１９７】
第三に、メインプロセッサ９２０は、表示装置１０が音響出力モードで動作中であるか否かを判断する（ステップＳ５０３）。
【０１９８】
第四に、メインプロセッサ９２０は、表示装置１０が音響出力モードで動作中である場合、ステレオ音響モードとモノ音響モードとのうちのいずれのモードであるかを判断する（ステップＳ５０４）。
【０１９９】
第五に、メインプロセッサ９２０は、ステレオ音響モードで動作中である場合、第１〜第３音響発生装置（５００、５０１、９３０’／９４０’）のうちの少なくとも二つ、または第１〜第３音響発生装置（５００、５０１、９３０’／９４０’）のうちの少なくとも二つと第４音響発生装置９７０’とを用いて音響を生成して出力するように制御する（ステップＳ５０５）。
【０２００】
例えば、メインプロセッサ９２０は、第１音響発生装置５００と第２音響発生装置９３０とで第１音響と第２音響とを生成するように制御することで、ユーザに２チャンネルの立体音響を提供する。具体的に、メインプロセッサ９２０は、第１音響データと第２音響データとをメイン回路ボード９１０、表示回路ボード３１０、及び音響回路ボード６００を介して音響駆動回路６１０に出力する。音響駆動回路６１０は、第１音響データに応じて第１音響信号を生成し、第２音響データに応じて第２音響信号を生成し、音響駆動回路６１０を介して第１音響信号を第１音響発生装置５００に出力し、第２音響信号を第２音響発生装置５０１に出力する。第１音響発生装置５００は、第１音響信号に応じて第１音響を出力する。第２音響発生装置５０１は、第２音響信号に応じて第２音響を出力する。
【０２０１】
または、メインプロセッサ９２０は、第１音響発生装置５００と第３音響発生装置（９３０’／９４０’）とで第１音響と第３音響とを生成するように制御することで、ユーザに２チャンネルの立体音響を提供する。具体的に、メインプロセッサ９２０は、第１音響データをメイン回路ボード９１０、表示回路ボード３１０、及び音響回路ボード６００を介して音響駆動回路６１０に出力し、第３音響データまたは第３音響信号を第３音響発生装置（９３０’／９４０’）に出力する。音響駆動回路６１０は、第１音響データに応じて第１音響信号を生成し、音響駆動回路６１０を介して第１音響発生装置５００に出力する。第１音響発生装置５００は、第１音響信号に応じて第１音響を出力する。第３音響発生装置（９３０’／９４０’）は、第３音響データに応じて生成された第３音響信号またはメインプロセッサ９２０からの第３音響信号に応じて第３音響を出力する。
【０２０２】
または、メインプロセッサ９２０は、第２音響発生装置５０１と第３音響発生装置（９３０’／９４０’）とで第２音響と第３音響を生成するように制御することで、ユーザに２チャンネルの立体音響を提供する。具体的に、メインプロセッサ９２０は、第２音響データをメイン回路ボード９１０、表示回路ボード３１０、及び音響回路ボード６００を介して音響駆動回路６１０に出力し、第３音響データまたは第３音響信号を第３音響発生装置（９３０’／９４０’）に出力する。音響駆動回路６１０は、第２音響データに応じて第２音響信号を生成し、音響駆動回路６１０を介して第２音響発生装置５０１に出力する。第２音響発生装置５０１は、第２音響信号に応じて第２音響を出力する。第３音響発生装置（９３０’／９４０’）は、第３音響データに応じて生成された第３音響信号またはメインプロセッサ９２０からの第３音響信号に応じて第３音響を出力する。
【０２０３】
または、メインプロセッサ９２０は、第１音響発生装置５００、第２音響発生装置５０１、及び第３音響発生装置（９３０’／９４０’）のうちの少なくとも二つと第４音響発生装置９７０’とを用いる場合、第１音響、第２音響、及び第３音響のうちの少なくとも二つと第４音響とを生成するように制御するので、２．１チャンネルの立体音響がユーザに提供される。この場合、第４音響発生装置９７０’は、低音を出力するウーファーとしての役割を果たす。メインプロセッサ９２０は、第４音響データまたは第４音響信号を第４音響発生装置９７０’に出力し、第４音響発生装置９７０’は、第４音響データによって生成された第４音響信号またはメインプロセッサ９２０からの第４音響信号に応じて第４音響を出力する。
【０２０４】
特に、第１音響発生装置５００のＦ０と第２音響発生装置５０１のＦ０とを図３４に示すＣ１３曲線のように実質的に同様に制御し、図３２に示すＣ１１曲線、図３３に示すＣ１２曲線、及び図３４に示すＣ１３曲線のように第１音響発生装置５００のＦ０または第２音響発生装置５０１のＦ０、第３音響発生装置（９３０’／９４０’）のＦ０、及び第４音響発生装置９７０’のＦ０を互いに異なるように制御すると、図３５に示すＣ１４曲線のようにユーザに提供される音響の周波数帯域が拡張されるので、より豊かな音響を提供することができる。図３２〜図３５において、ｘ軸は共振周波数を示し、ｙ軸は音圧レベル（ｓｏｕｎｄ  ｐｒｅｓｓｕｒｅ  ｌｅｖｅｌ、ＳＰＬ）を示し、Ｆ０は音響発生装置の振動膜変位が基準変位以上に大きくなる最小周波数を示す。
【０２０５】
具体的に、第４音響発生装置９７０’は、図３２に示すようにＦ０が３００Ｈｚ以下の第４音響を出力し、第３音響発生装置（９３０’／９４０’）は、図３３に示すようにＦ０が８００Ｈｚ以下の第３音響を出力する。また、第１音響発生装置５００及び第２音響発生装置５０１は、図３４に示すようにＦ０が１ｋＨｚ以上である第１音響と第２音響とを出力する。この場合、第４音響が第１〜第３音響に対して低周波数帯域ＬＦＲで音圧レベル（ｓｏｕｎｄ  ｐｒｅｓｓｕｒｅ  ｌｅｖｅｌ、ＳＰＬ）が高く、第１音響及び第２音響は、第３音響及び第４音響に対して高周波数帯域ＨＦＲで音圧レベルが高い。また、第３音響は、第１、第２、及び第４音響に対して低周波数帯域ＬＦＲと高周波数帯域ＨＦＲとの間の中周波数帯域ＭＦＲで音圧レベルが高い。したがって、第１音響発生装置５００及び第２音響発生装置５０１のうちのいずれか一つ、第３音響発生装置（９３０’／９４０’）、及び第４音響発生装置９７０’を用いてユーザに音響を提供すると、図３５に示すように低周波数帯域ＬＦＲ、中周波数帯域ＭＦＲ、及び高周波数帯域ＨＦＲで音圧レベルを高めることができる。すなわち、本実施形態による表示装置１０によれば、ユーザに提供される音響の周波数帯域が拡張されるので、より豊かな音響を提供することができる。
【０２０６】
または、図３６〜図３９に示すように第１音響発生装置５００のＦ０、第２音響発生装置５０１のＦ０、第３音響発生装置（９３０’／９４０’）のＦ０、及び第４音響発生装置９７０’のＦ０を互いに異なるように制御すると、図４０に示すようにユーザに提供される音響の周波数帯域が拡張されるので、より豊かな音響を提供することができる。Ｆ０は音響発生装置の振動膜変位が基準変位以上に大きくなる最小周波数を示す。
【０２０７】
具体的に、第４音響発生装置９７０’は、図３６に示すＣ１１曲線のようにＦ０が３００Ｈｚ以下の第４音響を出力し、第３音響発生装置（９３０’／９４０’）は、図３７に示すＣ１２曲線のようにＦ０が８００Ｈｚ以下の第３音響を出力する。また、第２音響発生装置５０１は、図３８に示すＣ１３曲線のようにＦ０が１ｋＨｚ以上である第２音響を出力し、第１音響発生装置５００は、図３９に示すＣ１５曲線のようにＦ０が１．５ｋＨｚ以上である第１音響を出力する。この場合、第４音響が、第１〜第３音響に対して低周波数帯域ＬＦＲで音圧レベル（ｓｏｕｎｄ  ｐｒｅｓｓｕｒｅ  ｌｅｖｅｌ、ＳＰＬ）が高く、第３音響は、第１、第２、及び第４音響に対して低周波数帯域ＬＦＲと第２高周波数帯域ＨＦＲ２との間の中周波数帯域ＭＦＲで音圧レベルが高い。また、第２音響は、第１、第３、及び第４音響に対して中周波数帯域ＭＦＲと第１高周波数帯域ＨＦＲ１との間の第２高周波数帯域ＨＦＲ２で音圧レベルが高く、第１音響は、第１〜第３音響に対して第１高周波数帯域ＨＦＲ１で音圧レベルが高い。したがって、第１音響発生装置５００、第２音響発生装置５０１、第３音響発生装置（９３０’／９４０’）、及び第４音響発生装置９７０’のすべてを用いてユーザに音響を提供すると、図４０に示すＣ１６曲線のように低周波数帯域ＬＦＲ、中周波数帯域ＭＦＲ、第１及び第２高周波数帯域（ＨＦＲ１，ＨＦＲ２）で音圧レベルを高まる。すなわち、本実施形態による表示装置１０によれば、ユーザに提供される音響の周波数帯域が拡張されるので、より豊かな音響を提供することができる。
【０２０８】
一方、第１〜第３音響発生装置（５００、５０１、９３０’／９４０’）のうちのいずれか一つと第４音響発生装置９７０’とを用いて２チャンネルの立体音響を提供し得る。しかし、第４音響発生装置９７０’は、Ｆ０が３００Ｈｚよりも低いため、第４音響発生装置９７０’によって発生した第３音響は、ウーファーのように低音出力に適する。したがって、第４音響発生装置９７０’を用いる場合、２チャンネルよりも２．１チャンネルの立体音響をユーザに提供することが好ましい。
【０２０９】
第六に、メインプロセッサ９２０は、モノ音響モードで動作中である場合、第１〜第３音響発生装置（５００、５０１、９３０’／９４０’）のうちのいずれか一つで音響を生成して出力するように制御する（ステップＳ５０６）。
【０２１０】
例えば、メインプロセッサ９２０は、第１音響発生装置５００で第１音響のみを生成するように制御する。具体的に、メインプロセッサ９２０は、第１音響データをメイン回路ボード９１０、表示回路ボード３１０、及び音響回路ボード６００を介して音響駆動回路６１０に出力する。音響駆動回路６１０は、第１音響データに応じて第１音響信号を生成し、音響駆動回路６１０を介して第１音響発生装置５００に出力する。第１音響発生装置５００は、第１音響信号に応じて第１音響を出力する。
【０２１１】
または、メインプロセッサ９２０は、第２音響発生装置５０１で第２音響のみを生成するように制御する。具体的に、メインプロセッサ９２０は、第２音響データをメイン回路ボード９１０、表示回路ボード３１０、及び音響回路ボード６００を介して音響駆動回路６１０に出力する。音響駆動回路６１０は、第２音響データに応じて第２音響信号を生成し、音響駆動回路６１０を介して第２音響発生装置５０１に出力する。第２音響発生装置５０１は、第２音響信号に応じて第２音響を出力する。
【０２１２】
または、メインプロセッサ９２０は、第３音響発生装置（９３０’／９４０’）で第３音響のみを生成するように制御する。メインプロセッサ９２０は、第３音響データまたは第３音響信号を第３音響発生装置９４０に出力する。第３音響発生装置（９３０’／９４０’）は、第３音響データに応じて生成された第３音響信号またはメインプロセッサ９２０からの第３音響信号に応じて第３音響を出力する。
【０２１３】
一方、第４音響発生装置９７０’を用いてモノ音響モードを具現し得る。しかし、第４音響発生装置９７０’は、Ｆ０が３００Ｈｚよりも低いため、第４音響発生装置９７０’によって発生した第４音響はウーファーのように低音出力に適する。したがって、第４音響発生装置９７０’を用いる場合、モノ音響モードよりもステレオ音響モードの２．１チャンネルの立体音響をユーザに提供することが好ましい。
【０２１４】
本発明の第４実施形態による表示装置１０によれば、音響出力モードのうちのモノ音響モードにおいて第１〜第３音響発生装置（５００、５０１、９３０’／９４０’）のうちのいずれか一つを用いて音響を出力できるので、ステレオ音響モードに比べて消費電力を減らすことができる。
【０２１５】
以上、図面を参照して本発明の実施形態について説明したが、本発明が属する技術分野における通常の知識を有する者は、本発明の技術的思想や必須的な特徴を変更せずに他の具体的な形態で実施可能である。そのため、上記実施形態は、すべての面において例示的なものであり、本発明を限定するものでない。
【符号の説明】
【０２１６】
１０    表示装置
１００    カバーウィンドウ
１１０    接着層
２００    タッチ感知装置
２１０    タッチ回路ボード
２２０    タッチ駆動回路
２３０    タッチ接続部
３００    表示パネル
３０１    支持基板
３０２    フレキシブル基板
３０３    薄膜トランジスタ層
３０４    発光素子層
３０５    封止層
３０６    バリアフィルム
３１０    表示回路ボード
３２０    表示駆動回路
３３０、３４０、３５０    （第１、第２、第３）コネクタ
３３１    アクティブ層
３３２    ゲート電極
３３３    ソース電極
３３４    ドレイン電極
３３５    薄膜トランジスタ
３３６    ゲート絶縁膜
３３７    層間絶縁膜
３３８    保護膜
３３９    平坦化膜
３４１    アノード電極
３４２    発光層
３４３    カソード電極
３４４    画素定義膜
４００    パネル下部部材
４１０    光吸収部材
４２０    緩衝部材
４３０    放熱部材
４３１、４３２    （第１、第２）放熱層
４３３    第４接着層
４４１、４４２、４４３    （第１、第２、第３）接着層
５００    第１音響発生装置
５０１、９３０    第２音響発生装置
５１０    第１電極
５２０    第２電極
５３０    振動層
５４０    基板
５５０    第１パッド
５６０    第２パッド
６００    音響回路ボード
６１０    音響駆動回路
６４０    音響接続部
８００    下部フレーム
９００    下部カバー
９１０    メイン回路ボード
９２０    メインプロセッサ
９３１    第２−１音響発生装置
９３２    第２−２音響発生装置
９３０’、９４０、９４０’、９７０    第３音響発生装置
９５０    充電端子
９６０    カメラ装置
９７０’    第４音響発生装置
９８０    ジャイロセンサ
９９０    メインコネクタ
ＣＨ１    第１コンタクトホール
ＣＨ２    第２コンタクトホール
ＣＴ    充電端子溝
ＤＡ    表示領域
ＤＡ１００    透過部
Ｆ１    第１力
Ｆ２    第２力
ＮＤＡ    非表示領域
ＮＤＡ１００    遮光部
ＳＨ１、ＳＨ２    スピーカー溝
【図１】
2020039127.tif 000003
【図２】
2020039127.tif 000004
【図３】
2020039127.tif 000005
【図４】
2020039127.tif 000006
【図５】
2020039127.tif 000007
【図６】
2020039127.tif 000008
【図７】
2020039127.tif 000009
【図８】
2020039127.tif 000010
【図９】
2020039127.tif 000011
【図１０】
2020039127.tif 000012
【図１１】
2020039127.tif 000013
【図１２】
2020039127.tif 000014
【図１３】
2020039127.tif 000015
【図１４】
2020039127.tif 000016
【図１５】
2020039127.tif 000017
【図１６】
2020039127.tif 000018
【図１７】
2020039127.tif 000019
【図１８】
2020039127.tif 000020
【図１９】
2020039127.tif 000021
【図２０】
2020039127.tif 000022
【図２１】
2020039127.tif 000023
【図２２】
2020039127.tif 000024
【図２３】
2020039127.tif 000025
【図２４】
2020039127.tif 000026
【図２５】
2020039127.tif 000027
【図２６】
2020039127.tif 000028
【図２７】
2020039127.tif 000029
【図２８】
2020039127.tif 000030
【図２９】
2020039127.tif 000031
【図３０】
2020039127.tif 000032
【図３１】
2020039127.tif 000033
【図３２】
2020039127.tif 000034
【図３３】
2020039127.tif 000035
【図３４】
2020039127.tif 000036
【図３５】
2020039127.tif 000037
【図３６】
2020039127.tif 000038
【図３７】
2020039127.tif 000039
【図３８】
2020039127.tif 000040
【図３９】
2020039127.tif 000041
【図４０】
2020039127.tif 000042